(57)【特許請求の範囲】
【請求項１】
データ伝送方法であって、
無線ローカルエリアネットワークのプロトコルバージョンに対するプリアンブルを生成すること（２０１）であって、前記プリアンブルは、高効率信号ＨＥ−ＳＩＧフィールドを含み、前記ＨＥ−ＳＩＧフィールドは、第１の直交周波数分割多重化ＯＦＤＭシンボル、第２のＯＦＤＭシンボル、第３のＯＦＤＭシンボルおよび第４のＯＦＤＭシンボルを含み、
前記４つのシンボルは順に配置されており、前記第１のＯＦＤＭシンボルの入力情報ビットは、前記第２のＯＦＤＭシンボルのものと同じであり、前記第３のＯＦＤＭシンボルの入力情報ビットは、前記第４のＯＦＤＭシンボルのものと同じである、生成することと、
前記第３および第４のＯＦＤＭシンボルの前記入力情報ビットは、前記第１および第２のＯＦＤＭシンボルの前記入力情報ビットを除く残りの全情報ビットを前記ＨＥ−ＳＩＧフィールドで保持される必要のある情報ビット中に含み、前記プリアンブルを生成することは、
チャネルエンコーダ、インタリーバ、および第１の変調器を使用して前記第１のＯＦＤＭシンボルを取得することによって、並びに、前記チャネルエンコーダを使用して、インタリーブせずに、および第２の変調器を使用して前記第２のＯＦＤＭシンボルを取得することによって、前記第１および第２のＯＦＤＭシンボルの前記入力情報ビットを処理することであって、前記第１の変調器および前記第２の変調器は同じでありまたは異なることと、
前記チャネルエンコーダ、前記インタリーバ、および第３の変調器を使用して前記第３のＯＦＤＭシンボルを取得することによって、並びに、前記チャネルエンコーダを使用し、インタリーブせずに、および第４の変調器を使用して前記第４のＯＦＤＭシンボルを取得することによって、前記第３および第４のＯＦＤＭシンボルの前記入力情報ビットを処理することであって、前記第３の変調器および前記第４の変調器は同じでありまたは異なることと、を含み、
前記プリアンブルを受信端デバイスへ送信すること（２０２）と
を含むことを特徴とする方法。
【請求項２】
前記第１のＯＦＤＭシンボルの時間領域信号は、前記第２のＯＦＤＭシンボルの時間領域信号とは異なることを特徴とする請求項１に記載の方法。
【請求項３】
前記第１の変調器はＢＰＳＫ変調器であり、前記第２の変調器はＱＢＰＳＫ変調器であることを含むことを特徴とする請求項１または２に記載の方法。
【請求項４】
前記第３の変調器はＢＰＳＫ変調器であることを特徴とする請求項３に記載の方法。
【請求項５】
データ受信方法であって、
伝送端デバイスによって送信された無線ローカルエリアネットワークのプロトコルバージョンに対するプリアンブルを受信すること（３０１）であって、前記プリアンブルは、高効率信号ＨＥ−ＳＩＧフィールドを含み、前記ＨＥ−ＳＩＧフィールドは、第１の直交周波数分割多重化ＯＦＤＭシンボル、第２のＯＦＤＭシンボル、第３のＯＦＤＭシンボル、および第４のＯＦＤＭシンボルを含み、前記４つのシンボルは順に配置されており、前記第２のＯＦＤＭシンボルの入力情報ビットは、前記第１のＯＦＤＭシンボルのものと同じであり、前記第３のＯＦＤＭシンボルの入力情報ビットは、前記第４のＯＦＤＭシンボルのものと同じである、受信すること（３０１）と、
前記第３および第４のＯＦＤＭシンボルの前記入力情報ビットは、前記第１および第２のＯＦＤＭシンボルの前記入力情報ビットを除く残りの全情報ビットを前記ＨＥ−ＳＩＧフィールドで保持される必要のある情報ビット中に含み、
前記プリアンブル内の前記第１のＯＦＤＭシンボル、前記第２のＯＦＤＭシンボル、前記第３のＯＦＤＭシンボル、および前記第４のＯＦＤＭシンボルを処理すること（３０２）であって、
前記プリアンブル内の前記第１のＯＦＤＭシンボル、前記第２のＯＦＤＭシンボル、前記第３のＯＦＤＭシンボル、および前記第４のＯＦＤＭシンボルを処理することは、
チャネルデコーダ、デインタリーバ、および第１の復調器を使用して、前記第１のＯＦＤＭシンボルを解析して前記第１および第２のＯＦＤＭシンボルの前記入力情報ビットを取得することと、前記チャネルデコーダを使用して、デインリーブせずに、および第２の復調器を使用して、前記第２のＯＦＤＭシンボルを解析して前記第１および第２のＯＦＤＭシンボルの前記入力情報ビットを取得することであって、前記第１の復調器および前記第２の復調器は同じでありまたは異なることと、
前記チャネルデコーダ、前記デインタリーバ、および第３の復調器を使用して、前記第３のＯＦＤＭシンボルを解析して前記第３および第４のＯＦＤＭシンボルの前記入力情報ビットを取得することと、前記チャネルデコーダを使用して、デインリーブせずに、および第４の復調器を使用して、前記第３のＯＦＤＭシンボルを解析して前記第３および第４のＯＦＤＭシンボルの前記入力情報ビットを取得することであって、前記第３の復調器および前記第４の復調器は同じでありまたは異なることと
を含むことを特徴とする方法。
【請求項６】
前記第１のＯＦＤＭシンボルの時間領域信号は、前記第２のＯＦＤＭシンボルの時間領域信号とは異なることを特徴とする請求項５に記載の方法。
【請求項７】
前記第１の復調器はＢＰＳＫ復調器であり、前記第２の復調器はＱＢＰＳＫ復調器であることを含むことを特徴とする請求項５または６に記載の方法。
【請求項８】
前記第３の復調器はＢＰＳＫ復調器であることを特徴とする請求項７に記載の方法。
【請求項９】
伝送端デバイスであって、
無線ローカルエリアネットワークのプロトコルバージョンに対するプリアンブルを生成するように構成された生成ユニット（８１）であって、前記プリアンブルは、高効率信号ＨＥ−ＳＩＧフィールドを含み、前記ＨＥ−ＳＩＧフィールドは、第１の直交周波数分割多重化ＯＦＤＭシンボル、第２のＯＦＤＭシンボル、第３のＯＦＤＭシンボルおよび第４のＯＦＤＭシンボルを含み、前記４つのシンボルは順に配置されており、前記第１のＯＦＤＭシンボルの入力情報ビットは、前記第２のＯＦＤＭシンボルのものと同じであり、前記第３のＯＦＤＭシンボルの入力情報ビットは、前記第４のＯＦＤＭシンボルのものと同じであり、
前記第３および第４のＯＦＤＭシンボルの前記入力情報ビットは、前記第１および第２のＯＦＤＭシンボルの前記入力情報ビットを除く残りの全情報ビットを前記ＨＥ−ＳＩＧフィールドで保持される必要のある情報ビット中に含む、生成ユニットを備え、
前記生成ユニットは、チャネルエンコーダ、インタリーバ、第１の変調器、第２の変調器、第３の変調器、および第４の変調器を含み、
前記生成ユニットは、
前記チャネルエンコーダ、前記インタリーバ、および前記第１の変調器を使用して前記第１のＯＦＤＭシンボルを取得することによって、並びに、前記チャネルエンコーダを使用して、インタリーブせずに、および前記第２の変調器を使用して前記第２のＯＦＤＭシンボルを取得することによって、前記第１および第２のＯＦＤＭシンボルの前記入力情報ビットを処理するために構成され、前記第１の変調器および前記第２の変調器は同じでありまたは異なり、
前記チャネルエンコーダ、前記インタリーバ、および前記第３の変調器を使用して前記第３のＯＦＤＭシンボルを取得することによって、並びに、前記チャネルエンコーダを使用し、インタリーブせずに、および前記第４の変調器を使用して前記第４のＯＦＤＭシンボルを取得することによって、前記第３および第４のＯＦＤＭシンボルの前記入力情報ビットを処理するために構成され、前記第３の変調器および前記第４の変調器は同じでありまたは異なり、
前記プリアンブルを受信端デバイスへ送信するように構成された送信ユニット（８２）と
を備えることを特徴とするデバイス。
【請求項１０】
前記第１のＯＦＤＭシンボルの時間領域信号は、前記第２のＯＦＤＭシンボルの時間領域信号とは異なることを特徴とする請求項９に記載のデバイス。
【請求項１１】
前記第１の変調器はＢＰＳＫ変調器であり、前記第２の変調器はＱＢＰＳＫ変調器であることを含むことを特徴とする請求項９または１０に記載のデバイス。
【請求項１２】
前記第３の変調器はＢＰＳＫ変調器であることを特徴とする請求項１１に記載のデバイス。
【請求項１３】
受信端デバイスであって、
伝送端デバイスによって送信された無線ローカルエリアネットワークのプロトコルバージョンに対するプリアンブルを受信するように構成された受信ユニット（９１）であって、前記プリアンブルは、高効率信号ＨＥ−ＳＩＧフィールドを含み、前記ＨＥ−ＳＩＧフィールドは、第１の直交周波数分割多重化ＯＦＤＭシンボル、第２のＯＦＤＭシンボル、第３のＯＦＤＭシンボルおよび第４のＯＦＤＭシンボルを含み、前記４つのシンボルは順に配置されており、前記第２のＯＦＤＭシンボルの入力情報ビットは、前記第１のＯＦＤＭシンボルのものと同じであり、前記第３のＯＦＤＭシンボルの入力情報ビットは、前記第４のＯＦＤＭシンボルのものと同じである、受信ユニットと、
前記第３および第４のＯＦＤＭシンボルの前記入力情報ビットは、前記第１および第２のＯＦＤＭシンボルの前記入力情報ビットを除く残りの全情報ビットを前記ＨＥ−ＳＩＧフィールドで保持される必要のある情報ビット中に含み、
前記プリアンブル内の前記第１のＯＦＤＭシンボル、前記第２のＯＦＤＭシンボル、前記第３のＯＦＤＭシンボル、および前記第４のＯＦＤＭシンボルを処理するように構成された処理ユニット（９２）であって、
前記処理ユニットは、チャネルデコーダ、デインタリーバ、第１の復調器、第２の復調器、第３の復調器、および第４の復調器を含み、
前記処理ユニットは、
前記チャネルデコーダ、前記デインタリーバ、および前記第１の復調器を使用して、前記第１のＯＦＤＭシンボルを解析して前記第１および第２のＯＦＤＭシンボルの前記入力情報ビットを取得し、前記チャネルデコーダを使用して、デインリーブせずに、および第２の復調器を使用して、前記第２のＯＦＤＭシンボルを解析して前記第１および第２のＯＦＤＭシンボルの前記入力情報ビットを取得するために構成され、前記第１の復調器および前記第２の復調器は同じでありまたは異なり、
前記チャネルデコーダ、前記デインタリーバ、および前記第３の復調器を使用して、前記第３のＯＦＤＭシンボルを解析して前記第３および第４のＯＦＤＭシンボルの前記入力情報ビットを取得し、前記チャネルデコーダを使用して、デインリーブせずに、および前記第４の復調器を使用して、前記第３のＯＦＤＭシンボルを解析して前記第３および第４のＯＦＤＭシンボルの前記入力情報ビットを取得するために構成され、前記第３の復調器および前記第４の復調器は同じでありまたは異なる
ことを特徴とするデバイス。
【請求項１４】
前記第１のＯＦＤＭシンボルの時間領域信号は、前記第２のＯＦＤＭシンボルの時間領域信号とは異なることを特徴とする請求項１３に記載のデバイス。
【請求項１５】
前記第１の復調器はＢＰＳＫ復調器であり、前記第２の復調器はＱＢＰＳＫ復調器であることを含むことを特徴とする請求項１３または１４に記載の方法。
【請求項１６】
前記第３の復調器はＢＰＳＫ復調器であることを特徴とする請求項１５に記載の方法。
【発明の詳細な説明】
【技術分野】
【０００１】
本発明の実施形態は、通信技術の分野に関し、より具体的には、データ伝送方法および装置に関する。
【背景技術】
【０００２】
８０２．１１規格ファミリを使用することによる無線ローカルエリアネットワーク（ＷＬＡＮ、Ｗｉｒｅｌｅｓｓ  Ｌｏｃａｌ  Ａｒｅａ  Ｎｅｔｗｏｒｋｓ）の標準化は、ＷＬＡＮ技術のコストを大幅に低減させる。ワイヤレスフィデリティ（Ｗｉ−Ｆｉ、Ｗｉｒｅｌｅｓｓ  Ｆｉｄｅｌｉｔｙ）は、無線ネットワーク通信技術の商標であり、Ｗｉ−Ｆｉ  Ａｌｌｉａｎｃｅによって保持されており、Ｗｉ−Ｆｉの目的は、８０２．１１規格に基づいて無線ネットワーク製品間の相互運用性を改善することである。８０２．１１プロトコルのシリーズを使用する無線ローカルエリアネットワークは、Ｗｉ−Ｆｉネットワークと呼ばれることがある。
【０００３】
現在、８０２．１１規格バージョンは、８０２．１１ａ／ｂから８０２．１１ｇ、８０２．１１ｎ、８０２．１１ａｃ、および最新の８０２．１１ａｘまで発展してきた。異なる８０２．１１規格バージョンの製品間の後方互換性および相互運用性を確保するために、８０２．１１ｎ以来、混合形式（ＭＦ）のプリアンブル（略してプリアンブル）が定義されてきた。このプリアンブルのレガシーフィールド部分は、８０２．１１ａのプリアンブルフィールドと同じであり、どちらも、レガシーショートトレーニングフィールド、レガシーロングトレーニングフィールド、およびレガシー信号フィールドを含む。８０２．１１ｎより新しいバージョンに対するプリアンブルは、レガシーフィールド部分に加えて、非レガシーフィールド部分をさらに含み、非レガシーフィールド部分は特に、非レガシー信号フィールド、非レガシーショートトレーニングフィールド、非レガシーロングトレーニングフィールドなどを含む。８０２．１１ｎの非レガシーフィールド部分は、高スループット（ＨＴ、Ｈｉｇｈ  Ｔｈｒｏｕｇｈｐｕｔ）と命名されており、すなわち、非レガシーフィールド部分は、高スループット信号フィールド、高スループットショートトレーニングフィールド、および高スループットロングトレーニングフィールドを含む。８０２．１１ａｃの非レガシーフィールド部分は、超高スループット（ＶＨＴ）と命名されており、すなわち、非レガシーフィールド部分は、超高スループット信号フィールドＡ、超高スループットショートトレーニングフィールド、および超高スループットロングトレーニングフィールド、および超高スループット信号フィールドＢを含む。現在の８０２．１１規格バージョンでは、プリアンブルレガシーフィールドに続くシンボルの変調方式に従って、プロトコルバージョン間の区別および受信端での自動検出が実施されることがある。
【０００４】
８０２．１１ａｘバージョンでは、プロトコルバージョンの区別およびプロトコルバージョンの高速かつ確実な自動検出の実施のためにプリアンブルをどのように使用するかが、至急に解決されるべき問題になっている。
【発明の概要】
【０００５】
本発明の実施形態は、８０２．１１ａｘバージョンのプリアンブルの高速かつ確実な自動検出を実施するためのデータ伝送方法および装置を提供する。
【０００６】
第１の態様によれば、データ伝送方法が提供され、データ伝送方法は、無線ローカルエリアネットワークのプロトコルバージョンに対するプリアンブルを生成することであって、プリアンブルは、レガシー信号Ｌ−ＳＩＧフィールドおよび高効率信号ＨＥ−ＳＩＧフィールドの１つまたは組合せを含み、Ｌ−ＳＩＧフィールドまたはＨＥ−ＳＩＧフィールドは、順に配置された第１の直交周波数分割多重化ＯＦＤＭシンボルおよび第２のＯＦＤＭシンボルを含み、第１のＯＦＤＭシンボルの入力情報ビットは、第２のＯＦＤＭシンボルのものと同じである、生成することと、このプリアンブルを受信端デバイスへ送信することとを含む。
【０００７】
第２の態様によれば、データ伝送方法が提供され、データ伝送方法は、伝送端デバイスによって送信された無線ローカルエリアネットワークのプロトコルバージョンに対するプリアンブルを受信することであって、プリアンブルは、レガシー信号Ｌ−ＳＩＧフィールドおよび高効率信号ＨＥ−ＳＩＧフィールドの１つまたは組合せを含み、Ｌ−ＳＩＧフィールドまたはＨＥ−ＳＩＧフィールドは、順に配置された第１の直交周波数分割多重化ＯＦＤＭシンボルおよび第２のＯＦＤＭシンボルを含み、第２のＯＦＤＭシンボルの入力情報ビットは、第１のＯＦＤＭシンボルのものと同じである、受信することと、プリアンブルのＨＥ−ＳＩＧフィールド内にある第１のＯＦＤＭシンボルおよび第２のＯＦＤＭシンボルを復元することと、第１のＯＦＤＭシンボルおよび第２のＯＦＤＭシンボルが復元された後に取得されるシーケンスが同じであると決定し、すなわち、このプリアンブルが第１のプロトコルバージョンのプリアンブルであると決定することと、プロトコルバージョンの所定の規則に従ってプリアンブルの残りのフィールドおよびデータ部分を処理することとを含む。
【０００８】
第３の態様によれば、伝送端デバイスが提供され、伝送端デバイスは、無線ローカルエリアネットワークのプロトコルバージョンに対するプリアンブルを生成するように構成された生成ユニットであって、プリアンブルは、レガシー信号Ｌ−ＳＩＧフィールドおよび高効率信号ＨＥ−ＳＩＧフィールドの１つまたは組合せを含み、Ｌ−ＳＩＧフィールドまたはＨＥ−ＳＩＧフィールドは、順に配置された第１の直交周波数分割多重化ＯＦＤＭシンボルおよび第２のＯＦＤＭシンボルを含み、第１のＯＦＤＭシンボルの入力情報ビットは、第２のＯＦＤＭシンボルのものと同じである、生成ユニットと、このプリアンブルを受信端デバイスへ送信するように構成された送信ユニットとを含む。
【０００９】
第４の態様によれば、受信端デバイスが提供され、受信端デバイスは、伝送端デバイスによって送信された無線ローカルエリアネットワークのプロトコルバージョンに対するプリアンブルを受信するように構成された受信ユニットであって、プリアンブルは、レガシー信号Ｌ−ＳＩＧフィールドおよび高効率信号ＨＥ−ＳＩＧフィールドの１つまたは組合せを含み、Ｌ−ＳＩＧフィールドまたはＨＥ−ＳＩＧフィールドは、順に配置された第１の直交周波数分割多重化ＯＦＤＭシンボルおよび第２のＯＦＤＭシンボルを含み、第２のＯＦＤＭシンボルの入力情報ビットは、第１のＯＦＤＭシンボルのものと同じである、受信ユニットと、プリアンブルのＨＥ−ＳＩＧフィールド内にある第１のＯＦＤＭシンボルおよび第２のＯＦＤＭシンボルを復元するように構成された復元ユニットと、第１のＯＦＤＭシンボルおよび第２のＯＦＤＭシンボルが復元された後に取得されるシーケンスが同じであると決定し、すなわち、このプリアンブルが第１のプロトコルバージョンのプリアンブルであると決定するように構成された決定ユニットとを含み、復元ユニットは、プロトコルバージョンの所定の規則に従ってプリアンブルの残りのフィールドおよびデータ部分を処理するようにさらに構成される。
【００１０】
本発明の実施形態によれば、無線ローカルエリアネットワークのプロトコルバージョンに対するプリアンブルが生成され、プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第１のＯＦＤＭシンボルの入力情報ビットは、第２のＯＦＤＭシンボルのものと同じであり、プリアンブルは、受信端デバイスへ送信され、その結果、受信端デバイスは、このプリアンブルを復元し、第１のＯＦＤＭシンボルおよび第２のＯＦＤＭシンボルを復元した後に取得される入力情報ビットが同じであると決定すると、このプリアンブルがプロトコルバージョンのプリアンブルであると決定する。８０２．１１ａｘプロトコルバージョンのプリアンブルの高速かつ確実な自動検出が実施されることが可能である。加えて、８０２．１１ａｘが屋外のシナリオに適用されるとき、同じ入力情報ビットを有する第１のＯＦＤＭシンボルおよび第２のＯＦＤＭシンボルを使用することによって、プリアンブル伝送および自動検出の信頼性および正確さが改善されることが可能である。
【図面の簡単な説明】
【００１１】
本発明の実施形態における技術的な解決策についてよりはっきりと説明するために、以下、本発明の実施形態について説明するために必要とされる添付の図面について簡単に説明する。以下の説明における添付の図面は、本発明の単なるいくつかの実施形態を示し、当業者であれば、創造的努力なく、それにもかかわらずこれらの添付の図面から他の図面を導出することがあることが明らかである。
【００１２】
【図１】本発明の実施形態によるプリアンブルの概略構造図である。
【図２】本発明の実施形態によるデータ伝送方法の概略流れ図である。
【図３】本発明の実施形態によるデータ伝送方法の概略流れ図である。
【図４】本発明の実施形態によるプリアンブルの概略構造図である。
【図５】本発明の別の実施形態によるプリアンブルの概略構造図である。
【図６ａ】本発明の別の実施形態によるプリアンブルの概略構造図である。
【図６ｂ】本発明の別の実施形態によるプリアンブルの概略構造図である。
【図７】本発明の別の実施形態によるプリアンブルの概略構造図である。
【図８】本発明の実施形態による伝送端デバイスの概略ブロック図である。
【図９】本発明の実施形態による受信端デバイスの概略ブロック図である。
【図１０】本発明の別の実施形態による伝送端デバイスの構造ブロック図である。
【図１１】本発明の別の実施形態による受信端デバイスの構造ブロック図である。
【図１２】本発明のいくつかの他の実施形態によるプリアンブルの概略構造図である。
【図１３】本発明のいくつかの他の実施形態によるプリアンブルの概略構造図である。
【図１４】本発明のいくつかの他の実施形態によるプリアンブルの概略構造図である。
【図１５】本発明のいくつかの他の実施形態の動作原理の概略図である。
【図１６】本発明のいくつかの他の実施形態の動作原理の概略図である。
【図１７】本発明のいくつかの他の実施形態の動作原理の概略図である。
【発明を実施するための形態】
【００１３】
以下、本発明の実施形態における技術的な解決策について、本発明の実施形態における添付の図面を参照してはっきりと詳細に説明する。説明される実施形態は、本発明の実施形態のすべてではなくむしろ一部であることが明らかである。当業者であれば本発明の実施形態に基づいて創造的努力なく取得されるすべての他の実施形態は、本発明の保護範囲内に入るものとする。
【００１４】
本発明の技術的な解決策は、伝送されるデータのデータ率およびデータ長などの情報を通信ピア端に通知するためにプリアンブルを使用する必要のある無線ローカルエリアネットワーク（ＷＬＡＮ）システム、ワイヤレスフィデリティ（Ｗｉ−Ｆｉ）システム、および様々な他の通信システムに適用されることがある。
【００１５】
それに対応して、伝送端デバイスおよび受信端デバイスは、ＷＬＡＮ内の加入者ステーション（ＳＴＡ）であることがある。加入者ステーションは、システム、加入者ユニット、アクセス端末、移動ステーション、移動コンソール、遠隔ステーション、遠隔端末、移動デバイス、ユーザ端末、端末、無線通信デバイス、ユーザエージェント、ユーザ装置、またはＵＥ（Ｕｓｅｒ  Ｅｑｕｉｐｍｅｎｔ、ユーザ機器）と呼ばれることもある。ＳＴＡは、セルラー電話、コードレス電話、ＳＩＰ（セッション開始プロトコル）電話、ＷＬＬ（無線ローカルループ）ステーション、ＰＤＡ（携帯情報端末）、無線ローカルエリアネットワーク（たとえば、Ｗｉ−Ｆｉ）通信機能を有する手持ち式デバイス、計算デバイス、または無線モデムに接続された別の処理デバイスであることがある。
【００１６】
加えて、伝送端デバイスおよび受信端デバイスは、ＷＬＡＮ内のアクセスポイント（Ａｃｃｅｓｓ  Ｐｏｉｎｔ）であることがある。アクセスポイントは、無線ローカルエリアネットワークを使用することによってアクセス端末と通信するため、アクセス端末のデータをネットワーク側へ伝送するため、またはネットワーク側からのデータをアクセス端末へ伝送するために使用されることがある。
【００１７】
受信端デバイスは、伝送端デバイスに対応する通信ピア端であることがある。
【００１８】
理解および説明を容易にするために、限定ではなく例として、以下、Ｗｉ−Ｆｉシステムにおける本発明のデータ伝送方法および装置の実行プロセスおよび動作について説明する。
【００１９】
図１は、本発明の実施形態によるプリアンブルの構造図である。
【００２０】
図１に示されるように、プリアンブルのレガシー部分は、３つのフィールド、すなわちレガシーショートトレーニングフィールド（Ｌ−ＳＴＦ）、レガシーロングトレーニングフィールド（Ｌ−ＬＴＦ）、およびレガシー信号（Ｌ−ＳＩＧ）フィールドを含む。Ｌ−ＳＴＦフィールドは、フレーム開始検出、自動利得制御（ＡＧＣ）設定、初期周波数オフセット推定、および初期時間同期で使用される。Ｌ−ＬＴＦは、より正確な周波数オフセット推定および時間同期で使用され、またＬ−ＳＩＧを受信および等化するためのチャネル推定を生成するためにも使用される。Ｌ−ＳＩＧフィールドは主に、データ率情報およびデータ長情報を搬送するために使用され、その結果、受信端デバイスは、データ率情報およびデータ長情報に従って、プリアンブルと同じフレーム内で搬送されるデータの長さを決定し、適切なアイドル時間をさらに決定することが可能である。
【００２１】
８０２．１１ａｘプリアンブルの場合、プリアンブルの非レガシーフィールドは、高効率無線ローカルエリアネットワーク（ＨＥＷ、Ｈｉｇｈ  Ｅｆｆｉｃｉｅｎｃｙ  ＷＬＡＮ）または高効率（ＨＥ、Ｈｉｇｈ  Ｅｆｆｉｃｉｅｎｃｙ）と命名されることがあり、すなわち、非レガシーフィールド部分は、高効率無線ローカルエリアネットワーク信号（ＨＥＷ−ＳＩＧ）フィールド、高効率無線ローカルエリアネットワークショートトレーニング（ＨＥＷ−ＳＴＦ）フィールド、および高効率無線ローカルエリアネットワークロングトレーニング（ＨＥＷ−ＬＴＦ）フィールド、または高効率信号（ＨＥ−ＳＩＧ）フィールド、高効率ショートトレーニング（ＨＥ−ＳＴＦ）フィールド、および高効率ロングトレーニング（ＨＥ−ＬＴＦ）フィールドを含む。本発明では、８０２．１１ａｘプリアンブルの非レガシーフィールドの命名は、限定されるものではないが、説明を容易にするために、以下の実施形態は主に、説明のための例としてＨＥ−ＳＩＧを使用する。
【００２２】
図１に示されるように、プリアンブルのレガシー部分内のＬ−ＳＩＧフィールドには、非レガシー部分内のＨＥ−ＳＩＧフィールドが続く。ＨＥ−ＳＩＧフィールドは、少なくとも２つの部分を含むことがある。第１の部分が、Ｌ−ＳＩＧに続き、少なくとも２つのＯＦＤＭシンボルを含み、第２の部分が、ＨＥ−ＳＴＦおよびＨＥ−ＬＴＦに続くことがある。ＨＥ−ＳＩＧフィールドは、８０２．１１ａｘバージョンプロトコルにおける信号方式情報を搬送するために使用されており、８０２．１１ａｘプリアンブルおよびデータパケットの識別および自動検出で使用されることが可能である。
【００２３】
図２は、本発明の実施形態によるデータ伝送方法の概略流れ図である。図２の方法は、伝送端デバイスによって実行されることがあり、伝送端デバイスは、無線ローカルエリアネットワーク内でアクセスポイントＡＰ、ステーションＳＴＡなどであることがある。
【００２４】
２０１．無線ローカルエリアネットワークのプロトコルバージョンに対するプリアンブルを生成する。プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第１のＯＦＤＭシンボルの入力情報ビットは、第２のＯＦＤＭシンボルのものと同じである。
【００２５】
２０２．プリアンブルを受信端デバイスへ送信する。その結果、受信端デバイスは、プリアンブルを復元し、第１のＯＦＤＭシンボルおよび第２のＯＦＤＭシンボルを復元した後に取得される入力情報ビットが同じであると決定すると、このプリアンブルがプロトコルバージョンのプリアンブルであると決定する。
【００２６】
無線ローカルエリアネットワークのプロトコルバージョンに対するプリアンブルを生成するとき、本発明のこの実施形態における伝送端デバイスは、同じ入力情報ビットに従って第１の直交周波数分割多重化ＯＦＤＭシンボルおよび第２のＯＦＤＭシンボルを生成し、受信端デバイスが第１のＯＦＤＭシンボルおよび第２のＯＦＤＭシンボルを復元した後に取得される入力情報ビットは、同じとすることが可能であり、その結果、受信端デバイスは、このプリアンブルがプロトコルバージョンのプリアンブルであると決定し、８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。
【００２７】
第１に、無線ローカルエリアネットワークのプロトコルバージョンに対応する伝送端デバイスが、プロトコルバージョンの伝送されるべきプリアンブルを生成する。特に、伝送端デバイスは、プリアンブルの各フィールド内で搬送される必要のある元の情報ビットを決定し、元の情報ビット上でチャネルコード化、インタリーブ、および変調などの処理を実行して、複数のＯＦＤＭシンボルを含むプリアンブルを生成する。以下の実施形態は主に、プロトコルバージョンのプリアンブル内でレガシー信号Ｌ−ＳＩＧフィールドに続くＨＥ−ＳＩＧフィールドの生成プロセスについて説明する。プリアンブルのレガシー部分（Ｌ−ＳＴＦ、Ｌ−ＬＴＦ、およびＬ−ＳＩＧフィールド）の生成プロセスは、既存のより旧いバージョンプロトコル（８０２．１１ａ／ｎ／ａｃなど）のものと同じであることがある。
【００２８】
ＨＥ−ＳＩＧフィールドは、少なくとも２つの部分を含むことを理解されたい。第１の部分は、Ｌ−ＳＩＧフィールドにすぐに続き、第２の部分は、非レガシー部分の任意の位置にあり得る。好ましい実施形態では、第２の部分は、ＨＥ−ＳＴＦおよびＨＥ−ＬＴＦに続くことがある。本発明のこの実施形態は主に、ＨＥ−ＳＩＧフィールドの第１の部分を標的とする。
【００２９】
また、本発明のこの実施形態は、ＨＥ−ＳＩＧフィールドの命名方式を限定するものではなく、ＨＥ−ＳＩＧフィールドは、高効率（ＨＥ、Ｈｉｇｈ  Ｅｆｆｉｃｉｅｎｃｙ）、高効率無線ローカルエリアネットワーク（ＨＥＷ、Ｈｉｇｈ  Ｅｆｆｉｃｉｅｎｃｙ  ＷＬＡＮ）などであることがあることも理解されたい。
【００３０】
任意選択で、実施形態では、無線ローカルエリアネットワークのプロトコルバージョンに対するプリアンブルを生成することは、チャネルエンコーダ、第１のインタリーバ、および第１の変調器を使用することによって、入力情報ビットを処理して、第１のＯＦＤＭシンボルを生成することと、チャネルエンコーダ、第２のインタリーバ、および第２の変調器を使用することによって、入力情報ビットを処理して、第２のＯＦＤＭシンボルを生成することとを含み、第１のインタリーバおよび第２のインタリーバは異なり、第１の変調器および第２の変調器は同じでありまたは異なる。
【００３１】
ＨＥ−ＳＩＧフィールドを生成するとき、伝送端デバイスは、第１に、ＨＥ−ＳＩＧフィールド内で搬送される必要のある信号方式情報に従って初期ビットシーケンスを決定することがあり、次いで１つのＯＦＤＭシンボル内で搬送されることが可能であるビットの数に従って、初期ビットシーケンスからのビットシーケンスを順次捕捉することによって、入力情報ビットを生成し、次いで入力情報ビットを処理して、第１のＯＦＤＭシンボルおよび第２のＯＦＤＭシンボルを生成する。
【００３２】
特に、入力情報ビットは、第１にスクランブルされることがあり、チャネルエンコーダを使用することによってチャネルコード化が実行され、チャネルコード化後に取得されるシーケンスは、第１のインタリーバを使用することによってインタリーブされ、第１の変調器を使用することによって第１の変調方式で変調され、空間フローシフト、時間領域への変換、およびガードインターバル追加などの動作が実行されて、第１のＯＦＤＭシンボルを生成する。
【００３３】
同様に、入力情報ビットは、第１にスクランブルされることがあり、チャネルエンコーダを使用することによってチャネルコード化が実行され、チャネルコード化後に取得されるシーケンスは、第２のインタリーバを使用することによってインタリーブされ、第２の変調器を使用することによって第２の変調方式で変調され、空間フローシフト、時間領域への変換、およびガードインターバル追加などの動作が実行されて、第２のＯＦＤＭシンボルを生成する。
【００３４】
第１のＯＦＤＭシンボルおよび第２のＯＦＤＭシンボルの生成プロセスはどちらも、インタリーブ処理を含むが、インタリーブ処理を実行する第１のインタリーバおよび第２のインタリーバは異なる。加えて、第１のＯＦＤＭシンボルおよび第２のＯＦＤＭシンボルの変調方式は、同じであることまたは異なっていることがあり、すなわち、第１の変調器および第２の変調器は、同じであることまたは異なっていることがある。好ましい例では、第１のＯＦＤＭシンボルの変調方式は、ＢＰＳＫであることがあり、第２のＯＦＤＭシンボルの変調方式もまた、ＢＰＳＫであることがあり、または第１のＯＦＤＭシンボルの変調方式はＢＰＳＫであり、第２のＯＦＤＭシンボルの変調方式はＱＢＰＳＫである。
【００３５】
任意選択で、実施形態では、無線ローカルエリアネットワークのプロトコルバージョンに対するプリアンブルを生成することは、チャネルエンコーダ、インタリーバ、および第１の変調器を使用することによって、入力情報ビットを処理して、第１のＯＦＤＭシンボルを生成することと、チャネルエンコーダおよび第２の変調器を使用することによって、入力情報ビットを処理して、第２のＯＦＤＭシンボルを生成することとを含み、第１の変調器および第２の変調器は同じでありまたは異なる。特に、第１のＯＦＤＭシンボルの生成プロセスは、インタリーブ処理を含むことがあり、第２のＯＦＤＭシンボルの生成プロセスは、インタリーブ処理を含まないことがある。他の処理プロセスは、上記の実施形態のものに類似しており、詳細は本明細書に繰返し説明されない。
【００３６】
任意選択で、実施形態では、無線ローカルエリアネットワークのプロトコルバージョンに対するプリアンブルを生成することは、チャネルエンコーダおよび第１の変調器を使用することによって、入力情報ビットを処理して、第１のＯＦＤＭシンボルを生成することと、チャネルエンコーダ、インタリーバ、および第２の変調器を使用することによって、入力情報ビットを処理して、第２のＯＦＤＭシンボルを生成することとを含み、第１の変調器および第２の変調器は同じでありまたは異なる。特に、第１のＯＦＤＭシンボルの生成プロセスは、インタリーブ処理を含まないことがあり、第２のＯＦＤＭシンボルの生成プロセスは、インタリーブ処理を含むことがある。他の処理プロセスは、上記の実施形態のものに類似しており、詳細は本明細書に繰返し説明されない。
【００３７】
任意選択で、実施形態では、無線ローカルエリアネットワークのプロトコルバージョンに対するプリアンブルを生成することは、チャネルエンコーダおよび第１の変調器を使用することによって、入力情報ビットを処理して、第１のＯＦＤＭシンボルを生成することと、チャネルエンコーダおよび第２の変調器を使用することによって、入力情報ビットを処理して、第２のＯＦＤＭシンボルを生成することとを含み、第１の変調器および第２の変調器は同じでありまたは異なる。特に、第１のＯＦＤＭシンボルおよび第２のＯＦＤＭシンボルの生成プロセスはどちらも、インタリーブ処理を含まないことがある。他の処理プロセスは、上記の実施形態のものに類似しており、詳細は本明細書に繰返し説明されない。
【００３８】
任意選択で、実施形態では、無線ローカルエリアネットワークのプロトコルバージョンに対するプリアンブルを生成することは、チャネルエンコーダ、インタリーバ、および第１の変調器を使用することによって、入力情報ビットを処理して、第１のＯＦＤＭシンボルを生成することと、チャネルエンコーダ、インタリーバ、および第２の変調器を使用することによって、入力情報ビットを処理して、第２のＯＦＤＭシンボルを生成することとを含み、第１の変調器および第２の変調器は同じでありまたは異なる。第１のＯＦＤＭシンボルおよび第２のＯＦＤＭシンボルは、同じインタリーバを渡す。他の処理プロセスは、上記の実施形態のものに類似しており、詳細は本明細書に繰返し説明されない。
【００３９】
任意選択で、実施形態では、第１のＯＦＤＭシンボルおよび第２のＯＦＤＭシンボルによって使用される副搬送波間隔は３１２．５ｋＨｚであり、第１のＯＦＤＭシンボルと第２のＯＦＤＭシンボルとの間のガードインターバルＧＩは０．８μｓである。既存のプロトコルバージョンとの互換性および既存のプロトコルバージョンの受信端の影響されない性能を確保するために、プリアンブルのＨＥ−ＳＩＧフィールド内のＯＦＤＭシンボルは、レガシーフィールド部分内のものと同じ副搬送波間隔およびガードインターバルを使用することがあることを理解されたい。
【００４０】
任意選択で、実施形態では、第２のＯＦＤＭシンボルに続く第３のＯＦＤＭシンボルが生成され、第３のＯＦＤＭシンボルの入力情報ビットは、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてを含み、第３のシンボルによって使用される副搬送波間隔は３１２．５ｋＨｚであり、第３のＯＦＤＭシンボルに対するガードインターバルＧＩは１．６μｓまたは２．４μｓである。
【００４１】
第１のＯＦＤＭシンボルおよび第２のＯＦＤＭシンボルの入力情報ビットが、ＨＥ−ＳＩＧフィールド内で搬送される必要のある情報ビットの一部分のみを含むとき、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてが、第３のＯＦＤＭシンボル内で搬送されることがある。
【００４２】
すなわち、第２のＯＦＤＭシンボル後、第３のＯＦＤＭシンボルが生成されることがある。特に、第３のＯＦＤＭシンボルの入力情報ビットは、第１にスクランブルされることがあり、チャネルエンコーダを使用することによってチャネルコード化が実行され、チャネルコード化後に取得されるシーケンスは、第１のＯＦＤＭシンボルによって使用されるのと同じ第１のインタリーバを使用することによってインタリーブされ、変調され、空間フローシフト、時間領域への変換、およびガードインターバル追加などの動作が実行されて、第３のＯＦＤＭシンボルを生成する。好ましくは、第３のＯＦＤＭシンボルの変調方式は、ＢＰＳＫまたはＱＢＰＳＫであることがある。第３のＯＦＤＭシンボルのインタリーブ方式は、第１のＯＦＤＭシンボルのものと同じであることもしくは異なっていることがあり、または第２のＯＦＤＭシンボルのものと同じであることもしくは異なっていることがある。第３のＯＦＤＭシンボルのガードインターバルは、上記のプリアンブルのプロトコルバージョンに従って決定されることがあり、すなわち、８０２．１１ａｘプロトコルバージョンは、第１のＯＦＤＭシンボルおよび第２のＯＦＤＭシンボル、フィールド、ならびにデータ部分のガードインターバルに続くシンボルを事前定義することがある。好ましくは、第３のＯＦＤＭシンボルに対するガードインターバルは、１．６μｓまたは２．４μｓであることがある。
【００４３】
任意選択で、実施形態では、この方法は、第２のＯＦＤＭシンボルに続く第３のＯＦＤＭシンボルを生成することであって、第３のＯＦＤＭシンボルの入力情報ビットは、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてを含む、生成することと、第３のＯＦＤＭシンボルに続く第４のＯＦＤＭシンボルを生成することであって、第４のＯＦＤＭシンボルの入力情報ビットは、第３のＯＦＤＭシンボルの入力情報ビットと同じである、生成することとをさらに含み、第３のＯＦＤＭシンボルおよび第４のＯＦＤＭシンボルによって使用される副搬送波間隔は３１２．５ｋＨｚであり、第３のＯＦＤＭシンボルと第４のＯＦＤＭシンボルとの間のガードインターバルＧＩは０．８μｓである。
【００４４】
第１のＯＦＤＭシンボルおよび第２のＯＦＤＭシンボルの入力情報ビットが、ＨＥ−ＳＩＧフィールド内で搬送される必要のある情報ビットの一部分のみを含むとき、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてが、第３のＯＦＤＭシンボルおよび第４のＯＦＤＭシンボル内で搬送されることがある。第３のＯＦＤＭシンボルおよび第４のＯＦＤＭシンボルの生成プロセスは、第１のＯＦＤＭシンボルおよび第２のＯＦＤＭシンボルの生成プロセスに類似することがあり、詳細は、本明細書に説明されない。好ましくは、第３のＯＦＤＭシンボルのインタリーブおよび変調方式は、第１のＯＦＤＭシンボルのものと同じであり、第４のＯＦＤＭシンボルのインタリーブおよび変調方式は、第２のＯＦＤＭシンボルのものと同じである。
【００４５】
無線ローカルエリアネットワークのプロトコルバージョンに対するプリアンブルを生成するとき、本発明のこの実施形態における伝送端デバイスは、同じ入力情報ビットに従って第１の直交周波数分割多重化ＯＦＤＭシンボルおよび第２のＯＦＤＭシンボルを生成し、受信端デバイスが第１のＯＦＤＭシンボルおよび第２のＯＦＤＭシンボルを復元した後に取得される入力情報ビットは、同じとすることが可能であり、その結果、受信端デバイスは、このプリアンブルがプロトコルバージョンのプリアンブルであると決定し、８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。加えて、第１のＯＦＤＭシンボルおよび第２のＯＦＤＭシンボルによって使用される副搬送波間隔およびガードインターバルは、既存のプロトコルバージョンで使用される副搬送波間隔およびガードインターバルと同じである。したがって、既存のプロトコルバージョンの受信端の性能に影響を及ぼすことなく、既存のプロトコルバージョンの受信端での８０２．１１ａｘプリアンブルの正常な受信が確保されることが可能である。
【００４６】
図３は、本発明の実施形態によるデータ伝送方法の概略流れ図である。図３の方法は、受信端デバイスによって実行されることがあり、受信端デバイスは、無線ローカルエリアネットワーク内でアクセスポイントＡＰ、ステーションＳＴＡなどであることがある。
【００４７】
３０１．伝送端デバイスによって送信された無線ローカルエリアネットワークのプロトコルバージョンに対するプリアンブルを受信する。プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第２のＯＦＤＭシンボルの入力情報ビットは、第１のＯＦＤＭシンボルのものと同じである。
【００４８】
３０２．プリアンブルのＨＥ−ＳＩＧフィールド内にある第１のＯＦＤＭシンボルおよび第２のＯＦＤＭシンボルを復元する。
【００４９】
３０３．第１のＯＦＤＭシンボルおよび第２のＯＦＤＭシンボルが復元された後に取得されるシーケンスが同じであると決定し、すなわち、このプリアンブルが第１のプロトコルバージョンのプリアンブルであると決定する。
【００５０】
３０４．プロトコルバージョンの所定の規則に従ってプリアンブルの残りのフィールドおよびデータ部分を処理する。
【００５１】
本発明のこの実施形態における受信端デバイスは、伝送端デバイスによって送信された無線ローカルエリアネットワークのプロトコルバージョンに対するプリアンブルを受信し、プリアンブルのＨＥ−ＳＩＧフィールド内にある第１のＯＦＤＭシンボルおよび第２のＯＦＤＭシンボルを復元し、第１のＯＦＤＭシンボルおよび第２のＯＦＤＭシンボルを復元した後に取得される入力情報ビットが同じであると決定すると、このプリアンブルが第１のプロトコルバージョンのプリアンブルであると決定する。８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。
【００５２】
第１に、無線ローカルエリアネットワークのプロトコルバージョンに対応する伝送端デバイスが、プロトコルバージョンの伝送されるべきプリアンブルを生成する。特に、伝送端デバイスは、プリアンブルの各フィールド内で搬送される必要のある元の情報ビットを決定し、元の情報ビット上でチャネルコード化、インタリーブ、および変調などの処理を実行して、複数のＯＦＤＭシンボルを含むプリアンブルを生成する。以下の実施形態は主に、プロトコルバージョンのプリアンブル内でレガシー信号Ｌ−ＳＩＧフィールドに続くＨＥ−ＳＩＧフィールドの復元プロセスについて説明する。
【００５３】
ＨＥ−ＳＩＧフィールドは、少なくとも２つの部分を含むことを理解されたい。第１の部分は、Ｌ−ＳＩＧフィールドにすぐに続き、第２の部分は、非レガシー部分の任意の位置にあり得る。好ましい実施形態では、第２の部分は、ＨＥ−ＳＴＦおよびＨＥ−ＬＴＦに続くことがある。本発明のこの実施形態は主に、ＨＥ−ＳＩＧフィールドの第１の部分を標的とする。
【００５４】
また、本発明のこの実施形態は、ＨＥ−ＳＩＧフィールドの命名方式を限定するものではなく、ＨＥ−ＳＩＧフィールドは、高効率（ＨＥ、Ｈｉｇｈ  Ｅｆｆｉｃｉｅｎｃｙ）、高効率無線ローカルエリアネットワーク（ＨＥＷ、Ｈｉｇｈ  Ｅｆｆｉｃｉｅｎｃｙ  ＷＬＡＮ）などであることがあることも理解されたい。
【００５５】
任意選択で、実施形態では、プリアンブルのＨＥ−ＳＩＧフィールド内にある第１のＯＦＤＭシンボルおよび第２のＯＦＤＭシンボルを復元することは、第１のデインタリーバを使用することによって、第１のＯＦＤＭシンボルを処理して、第１のシーケンスを生成することと、第２のデインタリーバを使用することによって、第２のＯＦＤＭシンボルを処理して、第２のシーケンスを生成して、第１のシーケンスが第２のシーケンスと同じであると決定し、すなわち、このプリアンブルが第１のプロトコルバージョンのプリアンブルであると決定することとを含み、第１のデインタリーバおよび第２のデインタリーバは異なる。
【００５６】
プリアンブルのＨＥ−ＳＩＧフィールドを生成するとき、伝送端デバイスは、同じ入力ビットシーケンスに従って第１のＯＦＤＭシンボルおよび第２のＯＦＤＭシンボルを生成する。受信端が第１のＯＦＤＭシンボルおよび第２のＯＦＤＭシンボルを復元するプロセスは、伝送端デバイスによって実行される生成プロセスの逆のプロセスとして見なされることがあり、すなわち、受信端デバイスによって第１のＯＦＤＭシンボルおよび第２のＯＦＤＭシンボル上で実行される復調、デインタリーブ、および復号は、伝送端デバイスによって第１のＯＦＤＭシンボルおよび第２のＯＦＤＭシンボル上で実行される変調、インタリーブ、および符号化に対応している。特に、伝送端デバイスは、エンコーダ、第１の変調器、および第１のインタリーバを使用することによって、第１のＯＦＤＭシンボルを生成する。第１の変調器に対応する変調方式は、ＢＰＳＫであることがある。それに対応して、第１のＯＦＤＭシンボルを復元するとき、受信端デバイスは、第１のインタリーバに対応する第１のデインタリーバを使用することによって、第１のＯＦＤＭシンボルをデインタリーブする必要がある。伝送端デバイスは、第１のＯＦＤＭシンボルに対して使用されるのと同じエンコーダおよび第１の変調器、ならびに第１のＯＦＤＭシンボルに対して使用される第１のインタリーバとは異なる第２のインタリーバを使用することによって、第２のＯＦＤＭシンボルを生成する。それに対応して、第２のＯＦＤＭシンボルを復元するとき、受信端デバイスは、第２のインタリーバに対応する第２のデインタリーバを使用することによって、第１のＯＦＤＭシンボルをデインタリーブする必要がある。次いで、デインタリーブされた第１のＯＦＤＭシンボルは、デインタリーブされた第２のＯＦＤＭシンボルと比較され、シーケンスが同じである場合、プリアンブルは、８０２．１１ａｘプリアンブルであると決定されることがある。
【００５７】
任意選択で、実施形態では、プリアンブルのＨＥ−ＳＩＧフィールド内にある第１のＯＦＤＭシンボルおよび第２のＯＦＤＭシンボルを復元することは、第１の復調器およびデインタリーバを使用することによって、第１のＯＦＤＭシンボルを処理して、第１のシーケンスを生成することと、第２の復調器を使用することによって、第２のＯＦＤＭシンボルを処理して、第２のシーケンスを生成して、第１のシーケンスが第２のシーケンスと同じであると決定し、すなわち、このプリアンブルが第１のプロトコルバージョンのプリアンブルであると決定することとを含み、第１の復調器および第２の復調器は同じでありまたは異なる。
【００５８】
特に、伝送端デバイスは、エンコーダ、第１の変調器、およびインタリーバを使用することによって、第１のＯＦＤＭシンボルを生成する。第１の変調器に対応する変調方式は、ＢＰＳＫであることがある。それに対応して、第１のＯＦＤＭシンボルを復元するとき、受信端デバイスは、インタリーバに対応するデインタリーバを使用することによって、第１のＯＦＤＭシンボルをデインタリーブする必要がある。伝送端デバイスは、第１のＯＦＤＭシンボルを生成するのに使用されるのと同じエンコーダおよび第２の変調器を使用することによって、第２のＯＦＤＭシンボルを生成し、インタリーブは実行されない。第２の変調器に対応する変調方式は、ＱＢＰＳＫであることがある。それに対応して、第２のＯＦＤＭシンボルを復元するとき、受信端デバイスは、第２の復調器を使用することによって、ＯＦＤＭシンボルを時計回りに９０度回転させる必要がある。次いで、デインタリーブされた第１のＯＦＤＭシンボルは、デインタリーブされた第２のＯＦＤＭシンボルと比較され、シーケンスが同じである場合、プリアンブルは、８０２．１１ａｘプリアンブルであると決定されることがある。
【００５９】
任意選択で、実施形態では、プリアンブルのＨＥ−ＳＩＧフィールド内にある第１のＯＦＤＭシンボルおよび第２のＯＦＤＭシンボルを復元することは、第１の復調器を使用することによって、第１のＯＦＤＭシンボルを処理して、第１のシーケンスを生成することと、第２の復調器およびデインタリーバを使用することによって、第２のＯＦＤＭシンボルを処理して、第２のシーケンスを生成して、第１のシーケンスが第２のシーケンスと同じであると決定し、すなわち、このプリアンブルが第１のプロトコルバージョンのプリアンブルであると決定することとを含み、第１の復調器および第２の復調器は同じでありまたは異なる。
【００６０】
特に、伝送端デバイスは、エンコーダおよび第１の変調器を使用することによって、第１のＯＦＤＭシンボルを生成し、インタリーブは実行されない。第１の変調器に対応する変調方式は、ＢＰＳＫであることがある。伝送端デバイスは、エンコーダ、第２の変調器、およびインタリーバを使用することによって、第２のＯＦＤＭシンボルを生成する。第２の変調器に対応する変調方式は、ＱＢＰＳＫであることがある。それに対応して、第２のＯＦＤＭシンボルを復元するとき、受信端デバイスは、インタリーバに対応するデインタリーバを使用することによって、第２のＯＦＤＭシンボルをデインタリーブし、第２の復調器を使用することによって、第２のＯＦＤＭシンボル上で時計回りに９０度の相回転を実行する必要がある。次いで、処理された第１のＯＦＤＭシンボルは、デインタリーブおよび復調された第２のＯＦＤＭシンボルと比較され、シーケンスが同じである場合、プリアンブルは、８０２．１１ａｘプリアンブルであると決定されることがある。
【００６１】
任意選択で、実施形態では、プリアンブルのＨＥ−ＳＩＧフィールド内にある第１のＯＦＤＭシンボルおよび第２のＯＦＤＭシンボルを復元することは、第１の復調器を使用することによって、第１のＯＦＤＭシンボルを処理して、第１のシーケンスを生成することと、第２の復調器を使用することによって、第２のＯＦＤＭシンボルを処理して、第２のシーケンスを生成して、第１のシーケンスが第２のシーケンスと同じであると決定し、すなわち、このプリアンブルが第１のプロトコルバージョンのプリアンブルであると決定することとを含み、第１の復調器および第２の復調器は同じでありまたは異なる。
【００６２】
任意選択で、実施形態では、プリアンブルのＨＥ−ＳＩＧフィールド内にある第１のＯＦＤＭシンボルおよび第２のＯＦＤＭシンボルを復元することは、デインタリーバを使用することによって、第１のＯＦＤＭシンボルを処理して、第１のシーケンスを生成することと、デインタリーバを使用することによって、第２のＯＦＤＭシンボルを処理して、第２のシーケンスを生成して、第１のシーケンスが第２のシーケンスと同じであると決定し、すなわち、このプリアンブルが第１のプロトコルバージョンのプリアンブルであると決定することとを含む。
【００６３】
任意選択で、実施形態では、第１のＯＦＤＭシンボルおよび第２のＯＦＤＭシンボルによって使用される副搬送波間隔は３１２．５ｋＨｚであり、第１のＯＦＤＭシンボルと第２のＯＦＤＭシンボルとの間のガードインターバルＧＩは０．８μｓである。
【００６４】
本発明のこの実施形態における受信端デバイスは、伝送端デバイスによって送信された無線ローカルエリアネットワークのプロトコルバージョンに対するプリアンブルを受信し、プリアンブルのＨＥ−ＳＩＧフィールド内にある第１のＯＦＤＭシンボルおよび第２のＯＦＤＭシンボルを復元し、第１のＯＦＤＭシンボルおよび第２のＯＦＤＭシンボルを復元した後に取得される入力情報ビットが同じであると決定すると、このプリアンブルが第１のプロトコルバージョンのプリアンブルであると決定する。８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。加えて、第１のＯＦＤＭシンボルおよび第２のＯＦＤＭシンボルによって使用される副搬送波間隔およびガードインターバルは、既存のプロトコルバージョンで使用される副搬送波間隔およびガードインターバルと同じである。したがって、既存のプロトコルバージョンの受信端の性能に影響を及ぼすことなく、既存のプロトコルバージョンの受信端での８０２．１１ａｘプリアンブルの正常な受信が確保されることが可能である。
【００６５】
図４は、本発明の実施形態によるプリアンブルの概略構造図である。
【００６６】
好ましい実施形態では、８０２．１１ａｘ伝送端は、図４に示されるプリアンブルを生成することがある。プリアンブルのレガシー部分は、３つのフィールド、すなわちＬ−ＳＴＦ、Ｌ−ＬＴＦ、およびＬ−ＳＩＧを含み、レガシー部分の３つのフィールドは、合計で２０μｓを占める。ＨＥ−ＳＩＧフィールドの第１の部分は、Ｌ−ＳＩＧフィールドに続き、ＨＥ−ＳＩＧ１と示され、第２の部分は、ＨＥ−ＬＴＦに続きまたはＨＥ−ＳＩＧフィールドの任意の他の位置にあり、ＨＥ−ＳＩＧ２と示される。ＨＥ−ＳＩＧ１部分は、２つのＯＦＤＭシンボル、すなわち第１のＯＦＤＭシンボルおよび第２のＯＦＤＭシンボルを含む。ＨＥ−ＳＩＧフィールドの第１の部分が少なくとも２つのＯＦＤＭシンボルを含むとき、最初の２つのＯＦＤＭシンボルは、ＨＥ−ＳＩＧ０と示されることがあり、第１の部分のうち最初の２つのＯＦＤＭシンボルを除いて残りのシンボルは、ＨＥ−ＳＩＧ１と示されることがあり、ＨＥ−ＳＩＧフィールドの第２の部分は、ＨＥ−ＳＩＧ２と示されることがあることを理解されたい。
【００６７】
第１のＯＦＤＭシンボルは、３１２．５ｋＨｚの副搬送波間隔および０．８μｓのガードインターバルを使用する。第１のＯＦＤＭシンボル内で搬送される入力情報ビットは、チャネルエンコーダおよび第１のインタリーバを進み、ＢＰＳＫを使用することによって変調される。
【００６８】
第２のＯＦＤＭシンボルもまた、３１２．５ｋＨｚの副搬送波間隔および０．８μｓのガードインターバルを使用する。第２のＯＦＤＭシンボルの入力情報ビットは、第１のＯＦＤＭシンボルのものと同じであり、チャネルエンコーダおよび第２のインタリーバを使用することによって処理され、次いでＢＰＳＫを使用することによって変調される。
【００６９】
第２のＯＦＤＭシンボルに続く次のＯＦＤＭシンボル（プリアンブルの残りのフィールドおよびデータ部分を含む）は、８０２．１１ａｘの規則に従って、３１２．５ｋＨｚまたは別の値の副搬送波間隔および０．８μｓまたは別の値のガードインターバルを使用することがある。
【００７０】
上記のプリアンブルを受信した後、受信端デバイスは、Ｌ−ＳＩＧフィールドに続く第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスを次の処理のためにキャッシュすることがある。次いで、第１の周波数領域シーケンスは、第１の（デ）インタリーバを使用することによってデインタリーブされて、第３の周波数領域シーケンスを取得し、第２の周波数領域シーケンスは、第２の（デ）インタリーバを使用することによってデインタリーブされて、第４の周波数領域シーケンスを取得する。次いで、第３の周波数領域シーケンスに対応する副搬送波内で搬送される情報が、第４の周波数領域シーケンスに対応する副搬送波内で搬送される情報と同じであるかどうかが、比較によって決定される。情報が同じである場合、プリアンブルは８０２．１１ａｘプリアンブルであると決定され、次のデータが８０２．１１ａｘデータパケットであると決定される。情報が同じでない場合、プリアンブルのプロトコルバージョンは、プロトコルバージョンを自動的に検出する既存の方法を使用することによって識別される。
【００７１】
８０２．１１ｎ／ａｃ受信端が上記の８０２．１１ａｘプリアンブルを受信するとき、Ｌ−ＳＩＧフィールドに続く２つのＯＦＤＭシンボルはどちらも、ＢＰＳＫを使用することによって変調されるため、８０２．１１ｎ／ａｃ受信端は、８０２．１１ａｘのプリアンブルおよびデータを８０２．１１ａのプリアンブルおよびデータとして識別し、それによって８０２．１１ｎ／ａｃ受信端の性能および互換性に影響を及ぼさない。
【００７２】
本発明の実施形態による方法を使用することによって、８０２．１１ａｘ受信端によって８０２．１１ａｘバージョンのプリアンブルの高速かつ確実な自動検出が実施されることが可能である。加えて、８０２．１１ａｘが屋外のシナリオに適用されるとき、同じ入力情報ビットを含む第１のＯＦＤＭシンボルおよび第２のＯＦＤＭシンボルを使用することによって、プリアンブル伝送および自動検出の信頼性および正確さが改善されることがある。加えて、第１のＯＦＤＭシンボルおよび第２のＯＦＤＭシンボルによって使用される副搬送波間隔およびガードインターバルは、既存のプロトコルバージョンで使用される副搬送波間隔およびガードインターバルと同じであり、第１のＯＦＤＭシンボルおよび第２のＯＦＤＭシンボルはどちらも、ＢＰＳＫを使用することによって変調される。したがって、既存のプロトコルバージョンの受信端の性能に影響を及ぼすことなく、既存のプロトコルバージョンの受信端での８０２．１１ａｘプリアンブルの正常な受信が確保されることが可能である。
【００７３】
図５は、本発明の別の実施形態によるプリアンブルの概略構造図である。
【００７４】
８０２．１１ａｘ伝送端は、図５に示されるプリアンブルを生成することがある。ＨＥ−ＳＩＧフィールドの第１の部分は、Ｌ−ＳＩＧフィールドに続き、ＨＥ−ＳＩＧ１と示され、ＨＥ−ＳＩＧフィールドの第２の部分は、ＨＥ−ＳＴＦおよびＨＥ−ＬＴＦに続き、ＨＥ−ＳＩＧ２と示される。ＨＥ−ＳＩＧ１部分は、２つのＯＦＤＭシンボル、すなわち第１のＯＦＤＭシンボルおよび第２のＯＦＤＭシンボルを含む。ＨＥ−ＳＩＧフィールドの第１の部分が少なくとも２つのＯＦＤＭシンボルを含むとき、最初の２つのＯＦＤＭシンボルは、ＨＥ−ＳＩＧ０と示されることがあり、第１の部分のうち最初の２つのＯＦＤＭシンボルを除いて残りのシンボルは、ＨＥ−ＳＩＧ１と示されることがあり、ＨＥ−ＳＩＧフィールドの第２の部分は、ＨＥ−ＳＩＧ２と示されることがあることを理解されたい。
【００７５】
第１のＯＦＤＭシンボルは、３１２．５ｋＨｚの副搬送波間隔および０．８μｓのガードインターバルを使用する。第１のＯＦＤＭシンボル内で搬送される入力情報ビットは、チャネルエンコーダおよび第１のインタリーバを進み、ＢＰＳＫを使用することによって変調される。
【００７６】
第２のＯＦＤＭシンボルもまた、３１２．５ｋＨｚの副搬送波間隔および０．８μｓのガードインターバルを使用する。第２のＯＦＤＭシンボルの入力情報ビットは、第１のＯＦＤＭシンボルのものと同じであり、チャネルエンコーダを使用することによって処理され、次いでインタリーブされることなく、ＱＢＰＳＫを使用することによって変調される。
【００７７】
第２のＯＦＤＭシンボルに続く次のＯＦＤＭシンボル（プリアンブルの残りのフィールドおよびデータ部分を含む）は、８０２．１１ａｘの規則に従って、３１２．５ｋＨｚまたは別の値の副搬送波間隔および０．８μｓまたは別の値のガードインターバルを使用することがある。
【００７８】
上記のプリアンブルを受信した後、受信端デバイスは、Ｌ−ＳＩＧフィールドに続く第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスを次の処理のためにキャッシュすることがある。次いで、第１の周波数領域シーケンスは、第１の（デ）インタリーバを使用することによってデインタリーブされて、第３の周波数領域シーケンスを取得する。第２のＯＦＤＭシンボルの変調方式はＱＢＰＳＫであり、図５の下部に示されるように、ＱＢＰＳＫ変調におけるコンステレーションマッピングが、ＢＰＳＫ変調におけるものに対して反時計回りに９０度相回転される。したがって、第２のＯＦＤＭシンボルを復元するとき、受信端は、上記の第２の周波数領域シーケンス上で時計回りに９０度の相回転を実行して、第４の周波数領域シーケンスを取得する必要がある。
【００７９】
次いで、第３の周波数領域シーケンスに対応する副搬送波内で搬送される情報が、第４の周波数領域シーケンスに対応する副搬送波内で搬送される情報と同じであるかどうかが、比較によって決定される。情報が同じである場合、プリアンブルは８０２．１１ａｘプリアンブルであると決定され、次のデータが８０２．１１ａｘデータパケットであると決定される。情報が同じでない場合、プリアンブルのプロトコルバージョンは、プロトコルバージョンを自動的に検出する既存の方法を使用することによって識別される。次のＯＦＤＭシンボル（プリアンブルの残りの部分およびデータ部分を含む）は、８０２．１１ａｘプロトコルの規則、ならびに伝送端に対応する副搬送波間隔およびガードインターバルに従って、処理されることがある。
【００８０】
８０２．１１ｎ受信端が上記の８０２．１１ａｘプリアンブルを受信するとき、Ｌ−ＳＩＧフィールドに続く第１のＯＦＤＭシンボルは、ＢＰＳＫを使用することによって変調されるため、８０２．１１ｎ受信端は、８０２．１１ａｘプリアンブルを８０２．１１ａプリアンブルとして識別し、８０２．１１ａプリアンブルを処理する方式で８０２．１１ａｘプリアンブルを処理して、それによって受信端の性能および互換性に影響を及ぼさない。
【００８１】
８０２．１１ａｃ受信端が上記の８０２．１１ａｘプリアンブルを受信するとき、Ｌ−ＳＩＧフィールドに続く第１のＯＦＤＭシンボルは、ＢＰＳＫを使用することによって変調され、第２のＯＦＤＭシンボルは、ＱＢＰＳＫを使用することによって変調されるため、８０２．１１ａｃ受信端は、８０２．１１ａｘプリアンブルを８０２．１１ａｃプリアンブルとして識別し、８０２．１１ａｃプリアンブルを処理する方式で８０２．１１ａｘプリアンブルを処理する。８０２．１１ａｃ受信端によって、ＶＨＴ−ＳＩＧフィールドを復号する方式で、ＨＥ−ＳＩＧフィールドを復号することによって、ＣＲＣ検証障害が引き起こされる。したがって、８０２．１１ａｃ受信端の性能および互換性に影響を及ぼすことなく、Ｌ−ＳＩＧフィールド内に示されるデータ長に従って、バックオフが実行される。
【００８２】
図６ａおよび図６ｂは、本発明の別の実施形態によるプリアンブルの概略構造図である。
【００８３】
実施形態では、８０２．１１ａｘ伝送端は、図６ａおよび図６ｂに示されるプリアンブルを生成することが可能である。プリアンブルのレガシー部分は、３つのフィールド、すなわちＬ−ＳＴＦ、Ｌ−ＬＴＦ、およびＬ−ＳＩＧを含み、レガシー部分の３つのフィールドは、合計で２０μｓを占める。ＨＥ−ＳＩＧフィールドの第１の部分は、Ｌ−ＳＩＧフィールドに続き、ＨＥ−ＳＩＧ１と示され、ＨＥ−ＳＩＧフィールドの第２の部分は、ＨＥ−ＳＴＦおよびＨＥ−ＬＴＦに続き、ＨＥ−ＳＩＧ２と示される。ＨＥ−ＳＩＧフィールドの第１の部分が少なくとも２つのＯＦＤＭシンボルを含むとき、最初の２つのＯＦＤＭシンボルは、ＨＥ−ＳＩＧ０と示されることがあり、第１の部分のうち最初の２つのＯＦＤＭシンボルを除いて残りのシンボルは、ＨＥ−ＳＩＧ１と示されることがあり、ＨＥ−ＳＩＧフィールドの第２の部分は、ＨＥ−ＳＩＧ２と示されることがあることを理解されたい。
【００８４】
図６ａおよび図６ｂに示されるように、ＨＥ−ＳＩＧフィールドの第１の部分は、３つのＯＦＤＭシンボルを含む。第１のＯＦＤＭシンボルは、３１２．５ｋＨｚの副搬送波間隔および０．８μｓのガードインターバルを使用する。第１のＯＦＤＭシンボル内で搬送される入力情報ビットは、チャネルエンコーダおよび第１のインタリーバを進み、ＢＰＳＫを使用することによって変調される。第２のＯＦＤＭシンボルもまた、３１２．５ｋＨｚの副搬送波間隔および０．８μｓのガードインターバルを使用する。第２のＯＦＤＭシンボルの入力情報ビットは、第１のＯＦＤＭシンボルのものと同じであり、チャネルエンコーダおよび第２のインタリーバを使用することによって処理され、次いでＢＰＳＫを使用することによって変調される。
【００８５】
第３のＯＦＤＭシンボルは、３１２．５ｋＨｚまたは別の値の副搬送波間隔および０．８μｓまたは別の値のガードインターバルを使用することがある。たとえば、図６ｂに示される第３のＯＦＤＭシンボルのガードインターバルは、異なる巡回プレフィックスを使用することによって実施される。この図において、灰色の信号が巡回プレフィックスであり、第１のＯＦＤＭシンボルおよび第２のＯＦＤＭシンボルの巡回プレフィックスの長さは、第３のＯＦＤＭシンボルの巡回プレフィックスの長さとは異なる。第３のＯＦＤＭシンボルの入力情報ビットは、第１のＯＦＤＭシンボルおよび第２のＯＦＤＭシンボルの入力情報ビットとは異なり、元のＨＥ−ＳＩＧフィールド内で搬送される必要のある情報ビットのうち、第１のＯＦＤＭシンボルおよび第２のＯＦＤＭシンボルの入力情報ビットを除いて、ビットシーケンスの一部分またはすべてである。
【００８６】
第３のＯＦＤＭシンボルの入力ビットシーケンスは、チャネルエンコーダおよび第１のインタリーバを使用することによって処理され、ＢＰＳＫを使用することによって変調される。
【００８７】
上記のプリアンブルを受信した後、受信端デバイスは、Ｌ−ＳＩＧフィールドに続く第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスを次の処理のためにキャッシュすることがある。次いで、第１の周波数領域シーケンスは、第１の（デ）インタリーバを使用することによってデインタリーブされて、第３の周波数領域シーケンスを取得し、第２の周波数領域シーケンスは、第２の（デ）インタリーバを使用することによってデインタリーブされて、第４の周波数領域シーケンスを取得する。次いで、第３の周波数領域シーケンスに対応する副搬送波内で搬送される情報が、第４の周波数領域シーケンスに対応する副搬送波内で搬送される情報と同じであるかどうかが、比較によって決定される。情報が同じである場合、プリアンブルは８０２．１１ａｘプリアンブルであると決定され、次のデータが８０２．１１ａｘデータパケットであると決定される。情報が同じでない場合、プリアンブルのプロトコルバージョンは、プロトコルバージョンを自動的に検出する既存の方法を使用することによって識別される。
【００８８】
８０２．１１ｎ／ａｃ受信端が上記の８０２．１１ａｘプリアンブルを受信するとき、Ｌ−ＳＩＧフィールドに続く２つのＯＦＤＭシンボルはどちらも、ＢＰＳＫを使用することによって変調されるため、８０２．１１ｎ／ａｃ受信端は、８０２．１１ａｘのプリアンブルおよびデータを８０２．１１ａのプリアンブルおよびデータとして識別し、同様に、８０２．１１ｎ／ａｃ受信端の性能および互換性に影響を及ぼさない。
【００８９】
図７は、本発明の別の実施形態によるプリアンブルの概略構造図である。
【００９０】
８０２．１１ａｘ伝送端は、図７に示されるプリアンブルを生成することがある。プリアンブルのレガシー部分は、３つのフィールド、すなわちＬ−ＳＴＦ、Ｌ−ＬＴＦ、およびＬ−ＳＩＧを含み、レガシー部分の３つのフィールドは、合計で２０μｓを占める。ＨＥ−ＳＩＧフィールドの第１の部分は、Ｌ−ＳＩＧフィールドに続き、ＨＥ−ＳＩＧ１と示され、ＨＥ−ＳＩＧフィールドの第２の部分は、ＨＥ−ＳＴＦおよびＨＥ−ＬＴＦに続き、ＨＥ−ＳＩＧ２と示される。ＨＥ−ＳＩＧフィールドの第１の部分が少なくとも２つのＯＦＤＭシンボルを含むとき、最初の２つのＯＦＤＭシンボルは、ＨＥ−ＳＩＧ０と示されることがあり、第１の部分のうち最初の２つのＯＦＤＭシンボルを除いて残りのシンボルは、ＨＥ−ＳＩＧ１と示されることがあり、ＨＥ−ＳＩＧフィールドの第２の部分は、ＨＥ−ＳＩＧ２と示されることがあることを理解されたい。
【００９１】
図７に示されるように、ＨＥ−ＳＩＧフィールド内の第１のＯＦＤＭシンボルは、３１２．５ｋＨｚの副搬送波間隔および０．８μｓのガードインターバルを使用する。第１のＯＦＤＭシンボル内で搬送される入力情報ビットは、チャネルエンコーダおよび第１のインタリーバを進み、ＢＰＳＫを使用することによって変調される。第２のＯＦＤＭシンボルもまた、３１２．５ｋＨｚの副搬送波間隔および０．８μｓのガードインターバルを使用する。第２のＯＦＤＭシンボルの入力情報ビットは、第１のＯＦＤＭシンボルのものと同じであり、チャネルエンコーダおよび第２のインタリーバを使用することによって処理され、次いでＢＰＳＫを使用することによって変調される。
【００９２】
第３のＯＦＤＭシンボルは、３１２．５ｋＨｚの副搬送波間隔および０．８μｓのガードインターバルを使用する。第３のＯＦＤＭシンボル内で搬送される入力情報ビットは、チャネルエンコーダおよび第１のインタリーバを使用することによって処理され、ＢＰＳＫを使用することによって変調される。第４のＯＦＤＭシンボルもまた、３１２．５ｋＨｚの副搬送波間隔および０．８μｓのガードインターバルを使用する。第４のＯＦＤＭシンボルの入力情報ビットは、第３のＯＦＤＭシンボルのものと同じであり、チャネルエンコーダおよび第２のインタリーバを使用することによって処理され、次いでＢＰＳＫを使用することによって変調される。第３のＯＦＤＭシンボルおよび第４のＯＦＤＭシンボルの入力情報ビットは、第１のＯＦＤＭシンボルおよび第２のＯＦＤＭシンボルの入力情報ビットとは異なる。
【００９３】
第４のＯＦＤＭシンボルに続く別のシンボル（プリアンブルの残りのフィールドおよびデータ部分を含む）は、３１２．５ｋＨｚまたは別の値の副搬送波間隔および０．８μｓまたは別の値のガードインターバルを使用することがある。
【００９４】
上記のプリアンブルを受信した後、受信端デバイスは、Ｌ−ＳＩＧフィールドに続く第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスを次の処理のためにキャッシュすることがある。次いで、第１の周波数領域シーケンスは、第１の（デ）インタリーバを使用することによってデインタリーブされて、第３の周波数領域シーケンスを取得し、第２の周波数領域シーケンスは、第２の（デ）インタリーバを使用することによってデインタリーブされて、第４の周波数領域シーケンスを取得する。次いで、第３の周波数領域シーケンスに対応する副搬送波内で搬送される情報が、第４の周波数領域シーケンスに対応する副搬送波内で搬送される情報と同じであるかどうかが、比較によって決定される。情報が同じである場合、プリアンブルは８０２．１１ａｘプリアンブルであると決定され、次のデータが８０２．１１ａｘデータパケットであると決定される。情報が同じでない場合、プリアンブルのプロトコルバージョンは、プロトコルバージョンを自動的に検出する既存の方法を使用することによって識別される。
【００９５】
８０２．１１ｎ／ａｃ受信端が上記の８０２．１１ａｘプリアンブルを受信するとき、Ｌ−ＳＩＧフィールドに続く２つのＯＦＤＭシンボルはどちらも、ＢＰＳＫを使用することによって変調されるため、８０２．１１ｎ／ａｃ受信端は、８０２．１１ａｘのプリアンブルおよびデータを８０２．１１ａのプリアンブルおよびデータとして識別し、８０２．１１ｎ／ａｃ受信端の性能および互換性もまた、影響されない。
【００９６】
図８は、本発明の実施形態による伝送端デバイスの概略ブロック図である。図８の伝送端デバイス８０は、生成ユニット８１および送信ユニット８２を含む。
【００９７】
生成ユニット８１は、無線ローカルエリアネットワークのプロトコルバージョンに対するプリアンブルを生成し、プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第１のＯＦＤＭシンボルの入力情報ビットは、第２のＯＦＤＭシンボルのものと同じである。送信ユニット８２は、プリアンブルを受信端デバイスへ送信する。
【００９８】
無線ローカルエリアネットワークのプロトコルバージョンに対するプリアンブルを生成するとき、本発明のこの実施形態における伝送端デバイス８０は、同じ入力情報ビットに従って第１の直交周波数分割多重化ＯＦＤＭシンボルおよび第２のＯＦＤＭシンボルを生成し、受信端デバイスが第１のＯＦＤＭシンボルおよび第２のＯＦＤＭシンボルを復元した後に取得される入力情報ビットは、同じとすることが可能であり、その結果、受信端デバイスは、このプリアンブルがプロトコルバージョンのプリアンブルであると決定し、８０２．１１ａｘバージョンプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。
【００９９】
第１に、無線ローカルエリアネットワークのプロトコルバージョンに対応する伝送端デバイスが、プロトコルバージョンの伝送されるべきプリアンブルを生成する。特に、伝送端デバイスは、プリアンブルの各フィールド内で搬送される必要のある元の情報ビットを決定し、元の情報ビット上でチャネルコード化、インタリーブ、および変調などの処理を実行して、複数のＯＦＤＭシンボルを含むプリアンブルを生成する。以下の実施形態は主に、プロトコルバージョンのプリアンブル内でレガシー信号フィールドＬ−ＳＩＧフィールドに続くＨＥ−ＳＩＧフィールドの生成プロセスについて説明する。プリアンブルのレガシー部分（Ｌ−ＳＴＦ、Ｌ−ＬＴＦ、およびＬ−ＳＩＧフィールド）の生成プロセスは、既存のより旧いバージョンプロトコル（８０２．１１ａ／ｎ／ａｃなど）のものと同じであることがある。
【０１００】
ＨＥ−ＳＩＧフィールドは、少なくとも２つの部分を含むことを理解されたい。第１の部分は、Ｌ−ＳＩＧフィールドにすぐに続き、第２の部分は、非レガシー部分の任意の位置にあり得る。好ましい実施形態では、第２の部分は、ＨＥ−ＳＴＦおよびＨＥ−ＬＴＦに続くことがある。本発明のこの実施形態は主に、ＨＥ−ＳＩＧフィールドの第１の部分を標的とする。
【０１０１】
また、本発明のこの実施形態は、ＨＥ−ＳＩＧフィールドの命名方式を限定するものではなく、ＨＥ−ＳＩＧフィールドは、高効率（ＨＥ、Ｈｉｇｈ  Ｅｆｆｉｃｉｅｎｃｙ）、高効率無線ローカルエリアネットワーク（ＨＥＷ、Ｈｉｇｈ  Ｅｆｆｉｃｉｅｎｃｙ  ＷＬＡＮ）などであることがあることも理解されたい。
【０１０２】
任意選択で、実施形態では、生成ユニット８１は、チャネルエンコーダ、第１のインタリーバ、および第１の変調器を使用することによって、入力情報ビットを処理して、第１のＯＦＤＭシンボルを生成し、チャネルエンコーダ、第２のインタリーバ、および第２の変調器を使用することによって、入力情報ビットを処理して、第２のＯＦＤＭシンボルを生成するように特に構成され、第１のインタリーバおよび第２のインタリーバは異なり、第１の変調器および第２の変調器は同じでありまたは異なる。
【０１０３】
ＨＥ−ＳＩＧフィールドを生成するとき、伝送端デバイス８０は、第１に、ＨＥ−ＳＩＧフィールド内で搬送される必要のある信号方式情報に従って初期ビットシーケンスを決定することがあり、次いで１つのＯＦＤＭシンボル内で搬送されることが可能であるビットの数に従って、初期ビットシーケンスからのビットシーケンスを順次捕捉することによって、入力情報ビットを生成し、次いで入力情報ビットを処理して、第１のＯＦＤＭシンボルおよび第２のＯＦＤＭシンボルを生成する。
【０１０４】
特に、入力情報ビットは、第１にスクランブルされることがあり、チャネルエンコーダを使用することによってチャネルコード化が実行され、チャネルコード化後に取得されるシーケンスは、第１のインタリーバを使用することによってインタリーブされ、第１の変調器を使用することによって第１の変調方式で変調され、空間フローシフト、時間領域への変換、およびガードインターバル追加などの動作が実行されて、第１のＯＦＤＭシンボルを生成する。
【０１０５】
同様に、入力情報ビットは、第１にスクランブルされることがあり、チャネルエンコーダを使用することによってチャネルコード化が実行され、チャネルコード化後に取得されるシーケンスは、第２のインタリーバを使用することによってインタリーブされ、第２の変調器を使用することによって第２の変調方式で変調され、空間フローシフト、時間領域への変換、およびガードインターバル追加などの動作が実行されて、第２のＯＦＤＭシンボルを生成する。
【０１０６】
第１のＯＦＤＭシンボルおよび第２のＯＦＤＭシンボルの生成プロセスはどちらも、インタリーブ処理を含むが、インタリーブ処理を実行する第１のインタリーバおよび第２のインタリーバは異なる。加えて、第１のＯＦＤＭシンボルおよび第２のＯＦＤＭシンボルの変調方式は、同じであることまたは異なっていることがあり、すなわち、第１の変調器および第２の変調器は、同じであることまたは異なっていることがある。好ましい例では、第１のＯＦＤＭシンボルの変調方式は、ＢＰＳＫであることがあり、第２のＯＦＤＭシンボルの変調方式もまた、ＢＰＳＫであることがあり、または第１のＯＦＤＭシンボルの変調方式はＢＰＳＫであり、第２のＯＦＤＭシンボルの変調方式はＱＢＰＳＫである。
【０１０７】
任意選択で、実施形態では、生成ユニット８１は、チャネルエンコーダ、インタリーバ、および第１の変調器を使用することによって、入力情報ビットを処理して、第１のＯＦＤＭシンボルを生成し、チャネルエンコーダおよび第２の変調器を使用することによって、入力情報ビットを処理して、第２のＯＦＤＭシンボルを生成するように特に構成され、第１の変調器および第２の変調器は同じでありまたは異なる。特に、第１のＯＦＤＭシンボルの生成プロセスは、インタリーブ処理を含むことがあり、第２のＯＦＤＭシンボルの生成プロセスは、インタリーブ処理を含まないことがある。他の処理プロセスは、上記の実施形態のものに類似しており、詳細は本明細書に繰返し説明されない。
【０１０８】
任意選択で、実施形態では、生成ユニット８１は、チャネルエンコーダおよび第１の変調器を使用することによって、入力情報ビットを処理して、第１のＯＦＤＭシンボルを生成し、チャネルエンコーダ、インタリーバ、および第２の変調器を使用することによって、入力情報ビットを処理して、第２のＯＦＤＭシンボルを生成するように特に構成され、第１の変調器および第２の変調器は同じでありまたは異なる。特に、第１のＯＦＤＭシンボルの生成プロセスは、インタリーブ処理を含まないことがあり、第２のＯＦＤＭシンボルの生成プロセスは、インタリーブ処理を含むことがある。他の処理プロセスは、上記の実施形態のものに類似しており、詳細は本明細書に繰返し説明されない。
【０１０９】
任意選択で、実施形態では、生成ユニット８１は、チャネルエンコーダおよび第１の変調器を使用することによって、入力情報ビットを処理して、第１のＯＦＤＭシンボルを生成し、チャネルエンコーダおよび第２の変調器を使用することによって、入力情報ビットを処理して、第２のＯＦＤＭシンボルを生成するように特に構成され、第１の変調器および第２の変調器は同じでありまたは異なる。特に、第１のＯＦＤＭシンボルおよび第２のＯＦＤＭシンボルの生成プロセスはどちらも、インタリーブ処理を含まないことがある。他の処理プロセスは、上記の実施形態のものに類似しており、詳細は本明細書に繰返し説明されない。
【０１１０】
任意選択で、実施形態では、生成ユニット８１は、チャネルエンコーダ、インタリーバ、および第１の変調器を使用することによって、入力情報ビットを処理して、第１のＯＦＤＭシンボルを生成し、チャネルエンコーダ、インタリーバ、および第２の変調器を使用することによって、入力情報ビットを処理して、第２のＯＦＤＭシンボルを生成するように特に構成され、第１の変調器および第２の変調器は同じでありまたは異なる。第１のＯＦＤＭシンボルおよび第２のＯＦＤＭシンボルは、同じインタリーバを渡す。他の処理プロセスは、上記の実施形態のものに類似しており、詳細は本明細書に繰返し説明されない。
【０１１１】
任意選択で、実施形態では、第１のＯＦＤＭシンボルおよび第２のＯＦＤＭシンボルによって使用される副搬送波間隔は３１２．５ｋＨｚであり、第１のＯＦＤＭシンボルと第２のＯＦＤＭシンボルとの間のガードインターバルＧＩは０．８μｓである。既存のプロトコルバージョンとの互換性および既存のプロトコルバージョンの受信端の影響されない性能を確保するために、プリアンブルのＨＥ−ＳＩＧフィールド内のＯＦＤＭシンボルは、レガシーフィールド部分内のものと同じ副搬送波間隔およびガードインターバルを使用することがあることを理解されたい。
【０１１２】
任意選択で、実施形態では、生成ユニット８１は、第２のＯＦＤＭシンボルに続く第３のＯＦＤＭシンボルを生成するようにさらに構成され、第３のＯＦＤＭシンボルの入力情報ビットは、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてを含み、第３のシンボルによって使用される副搬送波間隔は３１２．５ｋＨｚであり、第３のＯＦＤＭシンボルに対するガードインターバルＧＩは１．６μｓまたは２．４μｓである。
【０１１３】
第１のＯＦＤＭシンボルおよび第２のＯＦＤＭシンボルの入力情報ビットが、ＨＥ−ＳＩＧフィールド内で搬送される必要のある情報ビットの一部分のみを含むとき、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてが、第３のＯＦＤＭシンボル内で搬送されることがある。
【０１１４】
すなわち、第２のＯＦＤＭシンボルに続く第３のＯＦＤＭシンボルが生成されることがある。特に、第３のＯＦＤＭシンボルの入力情報ビットは、第１にスクランブルされることがあり、チャネルエンコーダを使用することによってチャネルコード化が実行され、チャネルコード化後に取得されるシーケンスは、第１のＯＦＤＭシンボルによって使用されるのと同じ第１のインタリーバを使用することによってインタリーブされ、変調され、空間フローシフト、時間領域への変換、およびガードインターバル追加などの動作が実行されて、第３のＯＦＤＭシンボルを生成する。好ましくは、第３のＯＦＤＭシンボルの変調方式は、ＢＰＳＫまたはＱＢＰＳＫであることがある。第３のＯＦＤＭシンボルのインタリーブ方式は、第１のＯＦＤＭシンボルのものと同じであることもしくは異なっていることがあり、または第２のＯＦＤＭシンボルのものと同じであることもしくは異なっていることがある。第３のＯＦＤＭシンボルのガードインターバルは、上記のプリアンブルのプロトコルバージョンに従って決定されることがあり、すなわち、８０２．１１ａｘプロトコルバージョンは、第１のＯＦＤＭシンボルおよび第２のＯＦＤＭシンボル、フィールド、ならびにデータ部分のガードインターバルに続くシンボルを事前定義することがある。好ましくは、第３のＯＦＤＭシンボルに対するガードインターバルは、１．６μｓまたは２．４μｓであることがある。
【０１１５】
任意選択で、実施形態では、生成ユニット８１は、第２のＯＦＤＭシンボルに続く第３のＯＦＤＭシンボルを生成するステップであって、第３のＯＦＤＭシンボルの入力情報ビットは、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてを含む、生成するステップと、第３のＯＦＤＭシンボルに続く第４のＯＦＤＭシンボルを生成するステップであって、第４のＯＦＤＭシンボルの入力情報ビットは、第３のＯＦＤＭシンボルの入力情報ビットと同じである、生成するステップとを行うようにさらに構成され、第３のＯＦＤＭシンボルおよび第４のＯＦＤＭシンボルによって使用される副搬送波間隔は３１２．５ｋＨｚであり、第３のＯＦＤＭシンボルと第４のＯＦＤＭシンボルとの間のガードインターバルＧＩは０．８μｓである。
【０１１６】
第１のＯＦＤＭシンボルおよび第２のＯＦＤＭシンボルの入力情報ビットが、ＨＥ−ＳＩＧフィールド内で搬送される必要のある情報ビットの一部分のみを含むとき、ＨＥ−ＳＩＧフィールド内で搬送される必要のある情報ビットのうち、第１のＯＦＤＭシンボルまたは第２のＯＦＤＭシンボルの入力情報ビットを除いて、情報ビットの一部分またはすべてが、第３のＯＦＤＭシンボルおよび第４のＯＦＤＭシンボル内で搬送されることがある。第３のＯＦＤＭシンボルおよび第４のＯＦＤＭシンボルの生成プロセスは、第１のＯＦＤＭシンボルおよび第２のＯＦＤＭシンボルの生成プロセスに類似することがあり、詳細は、本明細書に説明されない。好ましくは、第３のＯＦＤＭシンボルのインタリーブおよび変調方式は、第１のＯＦＤＭシンボルのものと同じであり、第４のＯＦＤＭシンボルのインタリーブおよび変調方式は、第２のＯＦＤＭシンボルのものと同じである。
【０１１７】
無線ローカルエリアネットワークのプロトコルバージョンに対するプリアンブルを生成するとき、本発明のこの実施形態における伝送端デバイス８０は、同じ入力情報ビットに従って第１の直交周波数分割多重化ＯＦＤＭシンボルおよび第２のＯＦＤＭシンボルを生成し、受信端デバイスが第１のＯＦＤＭシンボルおよび第２のＯＦＤＭシンボルを復元した後に取得される入力情報ビットは、同じとすることが可能であり、その結果、受信端デバイスは、このプリアンブルがプロトコルバージョンのプリアンブルであると決定し、８０２．１１ａｘバージョンプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。加えて、第１のＯＦＤＭシンボルおよび第２のＯＦＤＭシンボルによって使用される副搬送波間隔およびガードインターバルは、既存のプロトコルバージョンで使用される副搬送波間隔およびガードインターバルと同じである。したがって、既存のプロトコルバージョンの受信端の性能に影響を及ぼすことなく、既存のプロトコルバージョンの受信端での８０２．１１ａｘプリアンブルの正常な受信が確保されることが可能である。
【０１１８】
図９は、本発明の実施形態による受信端デバイスの概略ブロック図である。図９の受信端デバイス９０は、受信ユニット９１、復元ユニット９２、および決定ユニット９３を含む。
【０１１９】
受信ユニット９１は、伝送端デバイスによって送信された無線ローカルエリアネットワークのプロトコルバージョンに対するプリアンブルを受信し、プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第２のＯＦＤＭシンボルの入力情報ビットは、第１のＯＦＤＭシンボルのものと同じである。復元ユニット９２は、プリアンブルのＨＥ−ＳＩＧフィールド内にある第１のＯＦＤＭシンボルおよび第２のＯＦＤＭシンボルを復元する。決定ユニット９３は、第１のＯＦＤＭシンボルおよび第２のＯＦＤＭシンボルが復元された後に取得される入力情報ビットが同じであると決定し、すなわち、このプリアンブルが第１のプロトコルバージョンのプリアンブルであると決定する。復元ユニット９２は、プロトコルバージョンの所定の規則に従ってプリアンブルの残りのフィールドおよびデータ部分を処理する。
【０１２０】
本発明のこの実施形態における受信端デバイス９０は、伝送端デバイス８０によって送信された無線ローカルエリアネットワークのプロトコルバージョンに対するプリアンブルを受信し、プリアンブルのＨＥ−ＳＩＧフィールド内にある第１のＯＦＤＭシンボルおよび第２のＯＦＤＭシンボルを復元し、第１のＯＦＤＭシンボルおよび第２のＯＦＤＭシンボルを復元した後に取得される入力情報ビットが同じであると決定すると、このプリアンブルが第１のプロトコルバージョンのプリアンブルであると決定する。８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。
【０１２１】
第１に、無線ローカルエリアネットワークのプロトコルバージョンに対応する伝送端デバイスが、プロトコルバージョンの伝送されるべきプリアンブルを生成する。特に、伝送端デバイスは、プリアンブルの各フィールド内で搬送される必要のある元の情報ビットを決定し、元の情報ビット上でチャネルコード化、インタリーブ、および変調などの処理を実行して、複数のＯＦＤＭシンボルを含むプリアンブルを生成する。以下の実施形態は主に、プロトコルバージョンのプリアンブル内でレガシー信号フィールドＬ−ＳＩＧフィールドに続くＨＥ−ＳＩＧフィールドの復元プロセスについて説明する。
【０１２２】
ＨＥ−ＳＩＧフィールドは、少なくとも２つの部分を含むことを理解されたい。第１の部分は、Ｌ−ＳＩＧフィールドにすぐに続き、第２の部分は、非レガシー部分の任意の位置にあり得る。好ましい実施形態では、第２の部分は、ＨＥ−ＳＴＦおよびＨＥ−ＬＴＦに続くことがある。本発明のこの実施形態は主に、ＨＥ−ＳＩＧフィールドの第１の部分を標的とする。
【０１２３】
また、本発明のこの実施形態は、ＨＥ−ＳＩＧフィールドの命名方式を限定するものではなく、ＨＥ−ＳＩＧフィールドは、高効率（ＨＥ、Ｈｉｇｈ  Ｅｆｆｉｃｉｅｎｃｙ）、高効率無線ローカルエリアネットワーク（ＨＥＷ、Ｈｉｇｈ  Ｅｆｆｉｃｉｅｎｃｙ  ＷＬＡＮ）などのことがあることも理解されたい。
【０１２４】
任意選択で、実施形態では、復元ユニット９２は、第１のデインタリーバを使用することによって、第１のＯＦＤＭシンボルを処理して、第１のシーケンスを生成し、第２のデインタリーバを使用することによって、第２のＯＦＤＭシンボルを処理して、第２のシーケンスを生成して、第１のシーケンスおよび第２のシーケンスが同じであると決定し、すなわち、このプリアンブルが第１のプロトコルバージョンのプリアンブルであると決定するように特に構成され、第１のデインタリーバおよび第２のデインタリーバは異なる。
【０１２５】
プリアンブルのＨＥ−ＳＩＧフィールドを生成するとき、伝送端デバイスは、同じ入力ビットシーケンスに従って第１のＯＦＤＭシンボルおよび第２のＯＦＤＭシンボルを生成する。受信端デバイス９０が第１のＯＦＤＭシンボルおよび第２のＯＦＤＭシンボルを復元するプロセスは、伝送端デバイスによって実行される生成プロセスの逆のプロセスとして見なされることがあり、すなわち、受信端デバイス９０によって第１のＯＦＤＭシンボルおよび第２のＯＦＤＭシンボル上で実行される復調、デインタリーブ、および復号は、伝送端デバイスによって第１のＯＦＤＭシンボルおよび第２のＯＦＤＭシンボル上で実行される変調、インタリーブ、および符号化に対応している。特に、伝送端デバイスは、エンコーダ、第１の変調器、および第１のインタリーバを使用することによって、第１のＯＦＤＭシンボルを生成する。第１の変調器に対応する変調方式は、ＢＰＳＫであることがある。それに対応して、第１のＯＦＤＭシンボルを復元するとき、受信端デバイスは、第１のインタリーバに対応する第１のデインタリーバを使用することによって、第１のＯＦＤＭシンボルをデインタリーブする必要がある。伝送端デバイスは、第１のＯＦＤＭシンボルを生成するために使用されるのと同じエンコーダおよび第１の変調器、ならびに第１のＯＦＤＭシンボルを生成するために使用される第１のインタリーバとは異なる第２のインタリーバを使用することによって、第２のＯＦＤＭシンボルを生成する。それに対応して、第２のＯＦＤＭシンボルを復元するとき、受信端デバイスは、第２のインタリーバに対応する第２のデインタリーバを使用することによって、第１のＯＦＤＭシンボルをデインタリーブする必要がある。次いで、デインタリーブされた第１のＯＦＤＭシンボルは、デインタリーブされた第２のＯＦＤＭシンボルと比較され、シーケンスが同じである場合、プリアンブルは、８０２．１１ａｘプリアンブルであると決定されることがある。
【０１２６】
任意選択で、実施形態では、復元ユニット９２は、第１の復調器およびデインタリーバを使用することによって、第１のＯＦＤＭシンボルを処理して、第１のシーケンスを生成し、第２の復調器を使用することによって、第２のＯＦＤＭシンボルを処理して、第２のシーケンスを生成して、第１のシーケンスおよび第２のシーケンスが同じであると決定し、すなわち、このプリアンブルが第１のプロトコルバージョンのプリアンブルであると決定するように特に構成され、第１の復調器および第２の復調器は同じでありまたは異なる。
【０１２７】
特に、伝送端デバイスは、エンコーダ、第１の変調器、およびインタリーバを使用することによって、第１のＯＦＤＭシンボルを生成する。第１の変調器に対応する変調方式は、ＢＰＳＫであることがある。それに対応して、第１のＯＦＤＭシンボルを復元するとき、受信端デバイスは、インタリーバに対応するデインタリーバを使用することによって、第１のＯＦＤＭシンボルをデインタリーブする必要がある。伝送端デバイスは、第１のＯＦＤＭシンボルを生成するのに使用されるのと同じエンコーダおよび第２の変調器を使用することによって、第２のＯＦＤＭシンボルを生成し、インタリーブは実行されない。第２の変調器に対応する変調方式は、ＱＢＰＳＫであることがある。それに対応して、第２のＯＦＤＭシンボルを復元するとき、受信端デバイスは、第２の復調器を使用することによって、ＯＦＤＭシンボルを時計回りに９０度回転させる必要がある。次いで、デインタリーブされた第１のＯＦＤＭシンボルは、デインタリーブされた第２のＯＦＤＭシンボルと比較され、シーケンスが同じである場合、プリアンブルは、８０２．１１ａｘプリアンブルであると決定されることがある。
【０１２８】
任意選択で、実施形態では、復元ユニット９２は、第１の復調器を使用することによって、第１のＯＦＤＭシンボルを処理して、第１のシーケンスを生成し、第２の復調器およびデインタリーバを使用することによって、第２のＯＦＤＭシンボルを処理して、第２のシーケンスを生成して、第１のシーケンスおよび第２のシーケンスが同じであると決定し、すなわち、このプリアンブルが第１のプロトコルバージョンのプリアンブルであると決定するように特に構成され、第１の復調器および第２の復調器は同じでありまたは異なる。
【０１２９】
特に、伝送端デバイスは、エンコーダおよび第１の変調器を使用することによって、第１のＯＦＤＭシンボルを生成し、インタリーブは実行されない。第１の変調器に対応する変調方式は、ＢＰＳＫであることがある。伝送端デバイスは、エンコーダ、第２の変調器、およびインタリーバを使用することによって、第２のＯＦＤＭシンボルを生成する。第２の変調器に対応する変調方式は、ＱＢＰＳＫであることがある。それに対応して、第２のＯＦＤＭシンボルを復元するとき、受信端デバイスは、インタリーバに対応するデインタリーバを使用することによって、第２のＯＦＤＭシンボルをデインタリーブし、第２の復調器を使用することによって、第２のＯＦＤＭシンボル上で時計回りに９０度の相回転を実行する必要がある。次いで、処理された第１のＯＦＤＭシンボルは、デインタリーブおよび復調された第２のＯＦＤＭシンボルと比較され、シーケンスが同じである場合、プリアンブルは、８０２．１１ａｘプリアンブルであると決定されることがある。
【０１３０】
任意選択で、実施形態では、復元ユニット９２は、第１の復調器を使用することによって、第１のＯＦＤＭシンボルを処理して、第１のシーケンスを生成し、第２の復調器を使用することによって、第２のＯＦＤＭシンボルを処理して、第２のシーケンスを生成して、第１のシーケンスおよび第２のシーケンスが同じであると決定し、すなわち、このプリアンブルが第１のプロトコルバージョンのプリアンブルであると決定するように特に構成され、第１の復調器および第２の復調器は同じでありまたは異なる。
【０１３１】
任意選択で、実施形態では、復元ユニット９２は、デインタリーバを使用することによって、第１のＯＦＤＭシンボルを処理して、第１のシーケンスを生成し、デインタリーバを使用することによって、第２のＯＦＤＭシンボルを処理して、第２のシーケンスを生成して、第１のシーケンスおよび第２のシーケンスが同じであると決定し、すなわち、このプリアンブルが第１のプロトコルバージョンのプリアンブルであると決定するように特に構成される。
【０１３２】
任意選択で、実施形態では、第１のＯＦＤＭシンボルおよび第２のＯＦＤＭシンボルによって使用される副搬送波間隔は３１２．５ｋＨｚであり、第１のＯＦＤＭシンボルと第２のＯＦＤＭシンボルとの間のガードインターバルＧＩは０．８μｓである。
【０１３３】
本発明のこの実施形態における受信端デバイス９０は、伝送端デバイスによって送信された無線ローカルエリアネットワークのプロトコルバージョンに対するプリアンブルを受信し、プリアンブルのＨＥ−ＳＩＧフィールド内にある第１のＯＦＤＭシンボルおよび第２のＯＦＤＭシンボルを復元し、第１のＯＦＤＭシンボルおよび第２のＯＦＤＭシンボルを復元した後に取得される入力情報ビットが同じであると決定すると、このプリアンブルが第１のプロトコルバージョンのプリアンブルであると決定する。８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。加えて、第１のＯＦＤＭシンボルおよび第２のＯＦＤＭシンボルによって使用される副搬送波間隔およびガードインターバルは、既存のプロトコルバージョンで使用される副搬送波間隔およびガードインターバルと同じである。したがって、既存のプロトコルバージョンの受信端の性能に影響を及ぼすことなく、既存のプロトコルバージョンの受信端での８０２．１１ａｘプリアンブルの正常な受信が確保されることが可能である。
【０１３４】
図１０は、本発明の別の実施形態による伝送端デバイスの構造ブロック図である。図１０の伝送端デバイス１００は、プロセッサ１０１、メモリ１０２、伝送回路１０３、およびアンテナ１０４を含む。
【０１３５】
メモリ１０２は、無線ローカルエリアネットワークのプロトコルバージョンに対するプリアンブルを生成し、プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第１のＯＦＤＭシンボルの入力情報ビットは、第２のＯＦＤＭシンボルのものと同じであり、伝送回路１０３を使用することによってプリアンブルを受信端デバイスへ送信し、その結果、受信端デバイスは、プリアンブルを復元し、第１のＯＦＤＭシンボルおよび第２のＯＦＤＭシンボルを復元した後に取得される入力情報ビットが同じであると決定すると、このプリアンブルがプロトコルバージョンのプリアンブルであると決定するという動作を実行するためのプロセッサ１０１に対する命令を記憶するように構成される。
【０１３６】
無線ローカルエリアネットワークのプロトコルバージョンに対するプリアンブルを生成するとき、本発明のこの実施形態における伝送端デバイス１００は、同じ入力情報ビットに従って第１の直交周波数分割多重化ＯＦＤＭシンボルおよび第２のＯＦＤＭシンボルを生成し、受信端デバイスが第１のＯＦＤＭシンボルおよび第２のＯＦＤＭシンボルを復元した後に取得される入力情報ビットは、同じとすることが可能であり、その結果、受信端デバイスは、このプリアンブルがプロトコルバージョンのプリアンブルであると決定し、８０２．１１ａｘバージョンプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。
【０１３７】
加えて、伝送端デバイス１００は、受信回路１０５、バス１０６などをさらに含むことがある。プロセッサ１０１は、伝送端デバイス１００の動作を制御し、プロセッサ１０１は、ＣＰＵ（Ｃｅｎｔｒａｌ  Ｐｒｏｃｅｓｓｉｎｇ  Ｕｎｉｔ、中央処理装置）と呼ばれることもある。メモリ１０２は、読取り専用メモリおよびランダムアクセスメモリを含み、プロセッサ１０１に対する命令およびデータを提供することがある。メモリ１０２の一部分は、不揮発性ランダムアクセスメモリ（ＮＶＲＡＭ）をさらに含むことがある。特有の適用分野では、伝送回路１０３および受信回路１０５は、アンテナ１０４に結合されることがある。伝送端デバイス１００の構成要素は、バスシステム１０６を使用することによってともに結合される。バスシステム１０６は、データバスに加えて、電源バス、制御バス、状態信号バスなどをさらに含むことがある。しかし、説明を分かりやすくするために、この図では、様々なバスがバスシステム１０６として示されている。
【０１３８】
本発明の上記の実施形態に開示される方法は、プロセッサ１０１に適用され、またはプロセッサ１０１によって実施されることがある。プロセッサ１０１は、集積回路チップであることがあり、信号処理能力を有する。実装プロセスでは、上記の方法におけるステップは、プロセッサ１０１内のハードウェアの集積論理回路またはソフトウェアの形態の命令を使用することによって完了されることがある。プロセッサ１０１は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別のゲートもしくはトランジスタ論理デバイス、または個別のハードウェアアセンブリとすることがある。プロセッサ１０１は、本発明の実施形態に開示される方法、ステップ、および論理ブロック図を実施または実行することがある。汎用プロセッサは、マイクロプロセッサであることがあり、またはプロセッサは、任意の従来のプロセッサなどであることがある。本発明の実施形態を参照して開示される方法のステップは、ハードウェア復号プロセッサを使用することによって直接実行および完了されることがあり、または復号プロセッサ内でハードウェアおよびソフトウェアモジュールを組み合わせることによって実行および完了されることがある。ソフトウェアモジュールは、ランダムアクセスメモリ、フラッシュメモリ、読取り専用メモリ、プログラマブル読取り専用メモリ、電気的に消去可能なプログラマブルメモリ、またはレジスタなど、当技術分野における充分に発達した記憶媒体内に配置されることがある。記憶媒体は、メモリ１０２内に配置される。プロセッサ１０１は、メモリ１０２内の情報を読み取り、メモリ１０２のハードウェアとともに上記の方法のステップを完了する。
【０１３９】
図１１は、本発明の別の実施形態による受信端デバイスの構造ブロック図である。図１１の受信端デバイス１１０は、プロセッサ１１１、メモリ１１２、受信回路１１３、およびアンテナ１１４を含む。
【０１４０】
メモリ１０２は、受信回路１１３を使用することによって、伝送端デバイスによって送信された無線ローカルエリアネットワークのプロトコルバージョンに対するプリアンブルを受信し、プリアンブルは、順に配置されたレガシー信号Ｌ−ＳＩＧフィールドおよび高効率信号ＨＥ−ＳＩＧフィールドを含み、ＨＥ−ＳＩＧフィールドは、順に配置された第１の直交周波数分割多重化ＯＦＤＭシンボルおよび第２のＯＦＤＭシンボルを含み、第２のＯＦＤＭシンボルの入力情報ビットは、第１のＯＦＤＭシンボルのものと同じであり、プリアンブルのＨＥ−ＳＩＧフィールド内にある第１のＯＦＤＭシンボルおよび第２のＯＦＤＭシンボルを復元し、第１のＯＦＤＭシンボルおよび第２のＯＦＤＭシンボルが復元された後に取得されるシーケンスが同じであると決定し、プロトコルバージョンの所定の規則に従ってプリアンブルの残りのフィールドおよびデータ部分を復元するという動作を実行するためのプロセッサ１０１に対する命令を記憶するように構成される。
【０１４１】
本発明のこの実施形態における受信端デバイス１１０は、伝送端デバイスによって送信された無線ローカルエリアネットワークのプロトコルバージョンに対するプリアンブルを受信し、プリアンブルのＨＥ−ＳＩＧフィールド内にある第１のＯＦＤＭシンボルおよび第２のＯＦＤＭシンボルを復元し、第１のＯＦＤＭシンボルおよび第２のＯＦＤＭシンボルを復元した後に取得される入力情報ビットが同じであると決定すると、このプリアンブルが第１のプロトコルバージョンのプリアンブルであると決定する。８０２．１１ａｘバージョンのプリアンブルの高速かつ確実な自動検出が実施されることが可能である。加えて、８０２．１１ａｘが屋外のシナリオに適用されるとき、同じビットシーケンスを含む第１のＯＦＤＭシンボルおよび第２のＯＦＤＭシンボルを使用することによって、プリアンブル伝送および自動検出の信頼性および正確さが改善されることがある。
【０１４２】
加えて、受信端デバイス１１０は、伝送回路１１５、バス１１６などをさらに含むことがある。プロセッサ１１１は、受信端デバイス１１０の動作を制御し、プロセッサ１１１は、ＣＰＵ（Ｃｅｎｔｒａｌ  Ｐｒｏｃｅｓｓｉｎｇ  Ｕｎｉｔ、中央処理装置）と呼ばれることもある。メモリ１１２は、読取り専用メモリおよびランダムアクセスメモリを含み、プロセッサ１１１に対する命令およびデータを提供することがある。メモリ１１２の一部分は、不揮発性ランダムアクセスメモリ（ＮＶＲＡＭ）をさらに含むことがある。特有の適用分野では、受信回路１１３および伝送回路１１５は、アンテナ１１４に結合されることがある。受信端デバイス１１０の構成要素は、バスシステム１１６を使用することによってともに結合される。バスシステム１１６は、データバスに加えて、電源バス、制御バス、状態信号バスなどをさらに含むことがある。しかし、説明を分かりやすくするために、この図では、様々なバスがバスシステム１１６として示されている。
【０１４３】
本発明の上記の実施形態に開示される方法は、プロセッサ１１１に適用され、またはプロセッサ１１１によって実施されることがある。プロセッサ１１１は、集積回路チップであることがあり、信号処理能力を有する。実装プロセスでは、上記の方法におけるステップは、プロセッサ１１１内のハードウェアの集積論理回路またはソフトウェアの形態の命令を使用することによって完了されることがある。プロセッサ１１１は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、個別のゲートもしくはトランジスタ論理デバイス、または個別のハードウェアアセンブリであることがある。プロセッサ１１１は、本発明の実施形態に開示される方法、ステップ、および論理ブロック図を実施または実行することがある。汎用プロセッサは、マイクロプロセッサであることがあり、またはプロセッサは、任意の従来のプロセッサなどであることがある。本発明の実施形態を参照して開示される方法のステップは、ハードウェア復号プロセッサを使用することによって直接実行および完了されることがあり、または復号プロセッサ内でハードウェアおよびソフトウェアモジュールを組み合わせることによって実行および完了されることがある。ソフトウェアモジュールは、ランダムアクセスメモリ、フラッシュメモリ、読取り専用メモリ、プログラマブル読取り専用メモリ、電気的に消去可能なプログラマブルメモリ、またはレジスタなど、当技術分野における充分に発達した記憶媒体内に配置されることがある。記憶媒体は、メモリ１１２内に配置される。プロセッサ１１１は、メモリ１１２内の情報を読み取り、メモリ１１２のハードウェアとともに上記の方法のステップを完了する。
【０１４４】
上記の実装様態では、解決策に対して可能な置換えが行われることがあることを、当業者が理解することがある。たとえば、プリアンブル内にある第１のＯＦＤＭシンボルおよび第２のＯＦＤＭシンボルは、レガシー信号Ｌ−ＳＩＧフィールド内のシンボルなど、別のフィールド内のシンボルであることがある。第１のＯＦＤＭシンボルおよび第２のＯＦＤＭシンボルの入力情報ビットが同じである限り、これらの２つのＯＦＤＭシンボルに従って、プリアンブルのプロトコルバージョンが取得されることがあり、上記の実装様態におけるこれらの２つのＯＦＤＭシンボルを生成する特有のプロセスの適用は影響されない。特に、同じ入力情報ビットを処理することによって第１のＯＦＤＭシンボルおよび第２のＯＦＤＭシンボルをどのように取得するかは限定されない。加えて、上記の実装様態におけるプリアンブルは、別の可能な変形を有することがある。たとえば、レガシー信号Ｌ−ＳＩＧフィールドとＨＥ−ＳＩＧフィールドとの間に別のフィールドが存在し、またはいくつかの場合、たとえば、アップリンクプリアンブルがＨＥ−ＳＩＧフィールドを含まない。
【０１４５】
加えて、上記の実装様態においてこれらの２つのＯＦＤＭシンボルを生成するいくつかの好ましい実装様態によれば、これらの２つの生成されたＯＦＤＭシンボルの時間領域信号は異なる。このようにして、受信端が組み合わせられた受信を実行するとき、周波数選択性利得が取得されることがあり、その結果、ビット誤り率が低減される。
【０１４６】
上記は、第１のＯＦＤＭシンボルおよび第２のＯＦＤＭシンボルを生成する複数の実装様態を提供し、あるいは、無線ローカルエリアネットワークのプロトコルバージョンに対するプリアンブルを生成することは、
チャネルエンコーダ、インタリーバ、および第１の変調器を使用することによって、入力情報ビットを処理し、第１の順序で副搬送波マッピングを実行して、第１のＯＦＤＭシンボルを生成することと、
チャネルエンコーダ、インタリーバ、および第２の変調器を使用することによって、入力情報ビットを処理し、第２の順序で副搬送波マッピングを実行して、第２のＯＦＤＭシンボルを生成することとを含むことがあり、
第１の変調器および第２の変調器は同じでありまたは異なり、第１の順序および第２の順序は異なる。
【０１４７】
以下、いくつかの可能な特有の例について説明する。特有の例では、伝送端は、８０２．１１ｎ／ａｃ規格に準拠するレガシープリアンブル部分と、８０２．１１ａｘに準拠するＨＥＷ−ＳＩＧ１フィールドとを含むプリアンブルを生成する。ＨＥＷ−ＳＩＧ１フィールドは、２つの連続するＯＦＤＭシンボルを含む。ＨＥＷ−ＳＩＧ１フィールド内の第１のＯＦＤＭシンボルは、３１２．５ｋＨｚの副搬送波間隔および０．８μｓのＧＩを使用する。第１のＯＦＤＭシンボル内で搬送される入力情報ビットは、チャネルエンコーダおよびインタリーバを使用することによって処理され、次いでＢＰＳＫを使用することによって変調される。次いで、変調シンボルが、すべての副搬送波に順次マッピングされる。ＨＥＷ−ＳＩＧ１フィールド内の第２のＯＦＤＭシンボルは、３１２．５ｋＨｚの副搬送波間隔および０．８μｓのＧＩを使用する。第２のＯＦＤＭシンボル内で搬送される入力情報ビットは、ＨＥＷ−ＳＩＧ１フィールド内の第１のＯＦＤＭシンボル内で搬送される入力情報ビットと同じであり、チャネルエンコーダおよびインタリーバを使用することによって処理され、次いでＢＰＳＫを使用することによって変調される。次いで、変調シンボルが、すべての副搬送波に逆の順序でマッピングされる。
【０１４８】
ＨＥＷ−ＳＩＧ１フィールド内の第２のＯＦＤＭシンボルが送信された後、次のＯＦＤＭシンボル（８０２．１１ａｘに準拠するプリアンブルの残りのフィールドおよびデータフィールドを含む）が、３１２．５ｋＨｚまたは別の値の副搬送波間隔および０．８μｓまたは別の値のＧＩを使用することによって送信されることがある。本明細書ではこれに限定されない。
【０１４９】
それに対応して、８０２．１１ａｘ規格に準拠する受信端では、
【０１５０】
００１ａ．受信されたレガシープリアンブル（ＳＩＧ／Ｌ−ＳＩＧフィールドなど）に続く第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスをキャッシュする。
【０１５１】
００２ａ．第１の順序に従って第１の周波数領域シーケンスをデマッピングして、第３の周波数領域シーケンスを取得し、第２の順序に従って第２の周波数領域シーケンスをデマッピングして、第４の周波数領域シーケンスを取得し、次いで第３の周波数領域シーケンスおよび第４の周波数領域シーケンスが同じであるかどうかを決定する。第３の周波数領域シーケンスおよび第４の周波数領域シーケンスが同じである場合、データパケットは、８０２．１１ａｘデータパケットであると見なされる。ステップ００３へ進む。第３の周波数領域シーケンスおよび第４の周波数領域シーケンスが同じでない場合、データパケットは、８０２．１１ａｘデータパケットではない。ステップ００１へ戻り、第１の周波数領域シーケンスおよび第２の周波数領域シーケンスがキャッシュされる。データパケットのプロトコルバージョンは、従来技術または別の技術（８０２．１１ｎ／ａｃ規格に定義される自動検出方法など）に従ってさらに識別される。
【０１５２】
００３ａ．第３の周波数領域シーケンスおよび第４の周波数領域シーケンスに対応する副搬送波内で搬送される情報上でソフトビット結合を実行し、次いで８０２．１１ａｘ規格に従って復号などの処理を実行する。
【０１５３】
００４ａ．伝送端に対応する副搬送波間隔およびＧＩに従って、次のＯＦＤＭシンボル（プリアンブルの残りの部分およびデータ部分を含む）を受信する。
【０１５４】
８０２．１１ｎ／ａｃ規格に準拠するが８０２．１１ａｘ規格に準拠しない受信端の場合、プリアンブルのＬ−ＳＩＧフィールドに続くＨＥＷ−ＳＩＧ１フィールドの２つのＯＦＤＭシンボルは、ＢＰＳＫを使用することによって変調されるため、１１ｎ／ａｃ受信端は、８０２．１１ａデータパケットを処理する方式で８０２．１１ａｘデータパケットを処理し、後方互換性は影響されない。
【０１５５】
上記のＨＥＷ−ＳＩＧ１は、ＨＥ−ＳＩＧ−Ａと呼ばれることもあることを、当業者は認識する。すべての実装様態は、ＨＥ−ＳＩＧ−Ａだけでなく、別の可能なパイロットフィールドなどにも適用されることがある。代替の好ましい実装様態では、図１５に示されるように、ＨＥ−ＳＩＧ−Ａフィールドは、２つのＯＦＤＭシンボルを含み、無線ローカルエリアネットワーク内の伝送端（たとえば、８０２．１１ａｘに準拠する）では、この方法は、以下のステップを含む。１５０１．ＨＥ−ＳＩＧ−Ａフィールド内に第１のＯＦＤＭシンボルを生成する。このシンボルは、３１２．５ｋＨｚの副搬送波間隔および０．８μｓのＧＩを使用することがあり、第１のＯＦＤＭシンボル内で搬送される情報ビットは、チャネルエンコーダ（Ｃｈａｎｎｅｌ  ｃｏｄｉｎｇ）およびインタリーバ（Ｉｎｔｅｒｌｅａｖｅｒ）を使用することによって処理され、次いでＢＰＳＫ変調器などの第１の変調器を使用することによって変調される。次いで、生成された変調シンボルは、以下の式に示される第１の順序に従って、すべてのデータ副搬送波にマッピングされる。図１５に示されるＨＥ−ＳＩＧ−Ａフィールドの第１のＯＦＤＭシンボル（ＨＥ−ＳＩＧ−Ａ１）は、他の次の処理後に取得される。
【０１５６】
第ｋの変調シンボルは、ｔ（ｋ）＝ｋ、ｋ＝０，１，．．．ＮSD−１（式１）に従って、第ｔのデータ副搬送波にマッピングされ、ＩＤＦＴ変換が実行されて、第２のＯＦＤＭシンボルを生成する。
【０１５７】
ＮSDは、データ副搬送波の数を示す。たとえば、帯域幅が２０ＭＨｚであるとき、ＮSDは４８または５２であることがある。
【０１５８】
この場合、第１の順序のマッピングは、直接順次マッピングに同等である。
【０１５９】
１５０２．ＨＥ−ＳＩＧ−Ａフィールド内に第１のＯＦＤＭシンボルを生成した後、ＨＥ−ＳＩＧ−Ａフィールド内に第２のＯＦＤＭシンボルを生成する。第２のＯＦＤＭシンボルは、３１２．５ｋＨｚの副搬送波間隔および０．８μｓのＧＩを使用することがあり、第２のＯＦＤＭシンボル内で搬送される情報ビットは、ＨＥ−ＳＩＧ−Ａフィールド内の第１のＯＦＤＭシンボル内で搬送される情報ビットと同じであり、チャネルエンコーダ（Ｃｈａｎｎｅｌ  ｃｏｄｉｎｇ）およびインタリーバ（Ｉｎｔｅｒｌｅａｖｅｒ）を使用することによって処理され、次いでＢＰＳＫ変調器などの第２の変調器を使用することによって変調される。第２の変調器および第１の変調器は同じでありまたは異なる（たとえば、第２の変調器はＱＢＰＳＫ変調器であることがある）。次いで、生成された変調シンボルは、式２に示される第２の順序に従って、すべてのデータ副搬送波にマッピングされる。
【０１６０】
【数１】
0006457634.tif 000002
【０１６１】
すなわち、第ｋの変調シンボルは、第ｔのデータ副搬送波にマッピングされ、ＩＤＦＴ変換が実行される。ＮSD＝４８であるとき、ＮCOLは１６であることがあり、ＮROWは３であることがある。ＮSD＝５２であるとき、ＮCOLは１３であることがあり、ＮROWは４であることがある。
【０１６２】
第２の変調器がＢＰＳＫまたはＱＢＰＳＫ変調を使用するとき、第２の順序に従って生成された変調シンボルをデータ副搬送波のすべてにマッピングする技術的な効果は、搬送された情報ビットがチャネルエンコーダを使用することによって処理された直後に、搬送された情報ビット上でＢＰＳＫまたはＱＢＰＳＫ変調を実行し、生成された変調シンボルをデータ副搬送波のすべてに直接順次マッピングする技術的な効果と同じであることを理解されたい。
【０１６３】
特に、第２の順序のマッピングは、受信端によって実行されるデインタリーブ動作内にあり、８０２．１１ｎまたは８０２．１１ａｃなどの既存の規格に指定される分類動作（式２）のステップ３と同じである。既存の受信ユニット内のモジュールは、実際の実装で再利用されることがあり、その結果、実装は、ビット誤り率を上昇させることなくより容易になる。第２の変調器が、１６ＱＡＭまたは６４ＱＡＭなどのより高次の変調を使用する場合、受信端によって実行されるデインタリーブ動作内にあり、既存の規格に指定される分類動作（式２）のステップ３は、変調順序に関係ないため、マッピング動作はやはり、式２に記載される第２の順序を直接使用することによって実行されることがあり、拡張性は良好である。
【０１６４】
ＨＥ−ＳＩＧ−Ａフィールドが４つのＯＦＤＭシンボルを含む場合、第３のＯＦＤＭシンボルおよび第４のＯＦＤＭシンボルは、類似のステップを使用することによって生成されることがあることを理解されたい。
【０１６５】
伝送帯域幅が、４０ＭＨｚ、８０ＭＨｚ、または１６０ＭＨｚなど、２０ＭＨｚより大きい場合、副搬送波マッピングが第１の順序または第２の順序で実行された後、２０ＭＨｚの帯域幅上で生成される副搬送波信号が、伝送帯域幅のすべての２０ＭＨｚのサブチャネルにコピーされ、次いでＩＤＦＴ変換が実行されることを理解されたい。
【０１６６】
それに対応して、無線ローカルエリアネットワーク内の受信端（たとえば、８０２．１１ａｘ）では、
【０１６７】
１６０１．ＨＥ−ＳＩＧ−Ａフィールド内にある第１のＯＦＤＭシンボルおよび第２のＯＦＤＭシンボル上でチャネル等化を実行して、周波数領域シーケンス１および周波数領域シーケンス２を取得し、周波数領域シーケンス１および周波数領域シーケンス２をキャッシュする。
【０１６８】
１６０２．第１の順序に従って周波数領域シーケンス１をデマッピングして、周波数領域シーケンス３を取得し、すなわち、
直接および順次、またはｋ（ｔ）＝ｔ、ｔ＝０，１，．．．ＮSD−１（式３）に従って、デマッピング動作を実行して、周波数領域シーケンス３を取得する。
【０１６９】
１６０３．第２の順序に従って周波数領域シーケンス２をデマッピングして、周波数領域シーケンス４を取得し、すなわち、
【０１７０】
【数２】
0006457634.tif 000003
【０１７１】
に従って、周波数領域シーケンス４を取得する。
【０１７２】
１６０４．周波数領域シーケンス３および周波数領域シーケンス４上でＢＰＳＫ復調を実行し、ソフトビット結合を実行し、既存の規格に従って復号を実行する。
【０１７３】
代替の好ましい実装様態では、図１６に示されるように、ＨＥ−ＳＩＧ−Ａフィールドは、２つのＯＦＤＭシンボルを含み、無線ローカルエリアネットワーク内の伝送端（たとえば、８０２．１１ａｘに準拠する）で、この方法は、以下のステップを含む。
【０１７４】
１７０１．前述の実装様態のステップ１５０１と同様に、ＨＥ−ＳＩＧ−Ａフィールド内に第１のＯＦＤＭシンボルを生成する。このシンボルは、３１２．５ｋＨｚの副搬送波間隔および０．８μｓのＧＩを使用することがあり、第１のＯＦＤＭシンボル内で搬送される情報ビットは、チャネルエンコーダ（Ｃｈａｎｎｅｌ  ｃｏｄｉｎｇ）およびインタリーバ（Ｉｎｔｅｒｌｅａｖｅｒ）を使用することによって処理され、次いでＢＰＳＫ変調器などの第１の変調器を使用することによって変調される。次いで、生成された変調シンボルは、以下の式に示される第１の順序に従って、すべてのデータ副搬送波にマッピングされる。図１６に示されるＨＥ−ＳＩＧ−Ａフィールドの第１のＯＦＤＭシンボル（ＨＥ−ＳＩＧ−Ａ１）は、他の次の処理後に取得される。
【０１７５】
第ｋの変調シンボルは、ｔ（ｋ）＝ｋ、ｋ＝０，１，．．．ＮSD−１（式１）に従って、第ｔのデータ副搬送波にマッピングされ、ＩＤＦＴ変換が実行されて、第１のＯＦＤＭシンボルを生成する。
【０１７６】
ＮSDは、データ副搬送波の数を示し、帯域幅が２０ＭＨｚであるとき、ＮSDは４８または５２であることがある。
【０１７７】
この場合、第１の順序のマッピングは、直接順次マッピングに同等である。
【０１７８】
１７０２．ＨＥ−ＳＩＧ−Ａフィールド内に第１のＯＦＤＭシンボルを生成した後、ＨＥ−ＳＩＧ−Ａフィールド内に第２のＯＦＤＭシンボルを生成する。このシンボルは、３１２．５ｋＨｚの副搬送波間隔および０．８μｓのＧＩを使用することがあり、第２のＯＦＤＭシンボル内で搬送される情報ビットは、ＨＥ−ＳＩＧ−Ａフィールド内の第１のＯＦＤＭシンボル内で搬送される情報ビットと同じであり、チャネルエンコーダおよびインタリーバを使用することによって処理され、次いでＢＰＳＫ変調器などの第２の変調器を使用することによって変調される。第２の変調器および第１の変調器は同じでありまたは異なる（たとえば、第２の変調器はＱＢＰＳＫ変調器であることがある）。次いで、生成された変調シンボルは、式５に示される第２の順序に従って、すべてのデータ副搬送波にマッピングされる。
【０１７９】
【数３】
0006457634.tif 000004
【０１８０】
すなわち、第ｋの変調シンボルは、第ｔのデータ副搬送波にマッピングされ、ＩＤＦＴ変換が実行される。ＮSD＝４８であるとき、ＮCOLは１６であることがあり、ＮROWは３であることがある。ＮSD＝５２であるとき、ＮCOLは１３であることがあり、ＮROWは４であることがある。
【０１８１】
第２の変調器がＢＰＳＫまたはＱＢＰＳＫ変調を使用するとき、第２の順序に従って生成された変調シンボルをデータ副搬送波のすべてにマッピングする技術的な効果は、搬送された情報ビットがチャネルエンコーダおよびインタリーバを使用することによって処理された直後に、搬送された情報ビット上でＢＰＳＫまたはＱＢＰＳＫ変調を実行し、生成された変調シンボルが、再びインタリーバを使用することによって処理された後、生成された変調シンボルをデータ副搬送波のすべてに順次マッピングする技術的な効果と同じであることを理解されたい。
【０１８２】
第２の順序のマッピングは、伝送端によって実行されるインタリーブ動作内にあり、既存の規格に指定される分類動作（式５）のステップ１と同じである。既存の送信ユニット内のインタリーバモジュールは、実際の実装で再利用されることがあり、その結果、実装は、ビット誤り率を上昇させることなくより容易になる。
【０１８３】
第２の変調器が、１６ＱＡＭまたは６４ＱＡＭなどのより高次の変調を使用する場合、伝送端によって実行されるインタリーブ動作内にあり、既存の規格に指定される分類動作のステップ１は、変調順序に関係ないため、マッピング動作はやはり、式に記載される第２の順序を直接使用することによって実行されることがあり、拡張性は良好である。
【０１８４】
それに対応して、無線ローカルエリアネットワーク内の受信端（８０２．１１ａｘなど）では、
【０１８５】
１８０１．ステップ１６０１を参照すると、ＨＥ−ＳＩＧ−Ａフィールド内にある第１のＯＦＤＭシンボルおよび第２のＯＦＤＭシンボル上でチャネル等化を実行して、周波数領域シーケンス１および周波数領域シーケンス２を取得し、周波数領域シーケンス１および周波数領域シーケンス２をキャッシュする。
【０１８６】
１８０２．第１の順序に従って周波数領域シーケンス１をデマッピングして、周波数領域シーケンス３を取得し、すなわち、
ｋ（ｔ）＝ｔ、ｔ＝０，１，．．．ＮSD−１（式６）に従って、デマッピング動作を実行して、周波数領域シーケンス３を取得する。
【０１８７】
１８０３．第２の順序に従って周波数領域シーケンス２をデマッピングして、周波数領域シーケンス４を取得し、すなわち、
【０１８８】
【数４】
0006457634.tif 000005
【０１８９】
に従って、デマッピング動作を実行して、周波数領域シーケンス４を取得する。
【０１９０】
１８０４．周波数領域シーケンス３および周波数領域シーケンス４上でＢＰＳＫ復調を実行し、ソフトビット結合を実行し、既存の規格に従って復号を実行する。
【０１９１】
代替の好ましい実装様態では、図１７に示されるように、ＨＥ−ＳＩＧ−Ａフィールドは、２つのＯＦＤＭシンボルを含み、無線ローカルエリアネットワーク内の伝送端（たとえば、８０２．１１ａｘに準拠する）で、この方法は、以下のステップを含む。１９０１．ＨＥ−ＳＩＧ−Ａフィールド内に第１のＯＦＤＭシンボルを生成し、このシンボルは、３１２．５ｋＨｚの副搬送波間隔および０．８μｓのＧＩを使用することがあり、第１のＯＦＤＭシンボル内で搬送される情報ビットは、チャネルエンコーダおよびインタリーバを使用することによって処理され、次いでＢＰＳＫ変調器などの第１の変調器を使用することによって変調される。次いで、生成された変調シンボルは、以下の式に示される第１の順序に従って、すべてのデータ副搬送波にマッピングされる。
【０１９２】
【数５】
0006457634.tif 000006
【０１９３】
すなわち、第ｋの変調シンボルは、第ｔのデータ副搬送波にマッピングされ、ＩＤＦＴ変換が実行される。ＮSDは、データ副搬送波の数を示し、帯域幅が２０ＭＨｚであるとき、ＮSDは４８または５２であることがある。ＮSD＝４８であるとき、ＮCOLは１６であることがあり、ＮROWは３であることがある。ＮSD＝５２であるとき、ＮCOLは１３であることがあり、ＮROWは４であることがある。
【０１９４】
１９０２．ＨＥ−ＳＩＧ−Ａフィールド内に第１のＯＦＤＭシンボルを生成した後、ＨＥ−ＳＩＧ−Ａフィールド内に第２のＯＦＤＭシンボルを生成する。第２のＯＦＤＭシンボルは、３１２．５ｋＨｚの副搬送波間隔および０．８μｓのＧＩを使用することがあり、第２のＯＦＤＭシンボル内で搬送される情報ビットは、ＨＥ−ＳＩＧ−Ａフィールド内の第１のＯＦＤＭシンボル内で搬送される情報ビットと同じであり、チャネルエンコーダおよびインタリーバを使用することによって処理され、次いでＢＰＳＫ変調器などの第２の変調器を使用することによって変調される。第２の変調器および第１の変調器は同じでありまたは異なる（たとえば、第２の変調器はＱＢＰＳＫ変調器であることがある）。次いで、生成された変調シンボルは、以下の式に示される第２の順序に従って、すべてのデータ副搬送波にマッピングされる。
【０１９５】
【数６】
0006457634.tif 000007
【０１９６】
すなわち、第ｋの変調シンボルは、第ｔのデータ副搬送波にマッピングされ、ＩＤＦＴ変換が実行される。ＮSD＝４８であるとき、ＮCOLは１６であることがあり、ＮROWは３であることがある。ＮSD＝５２であるとき、ＮCOLは１３であることがあり、ＮROWは４であることがある。
【０１９７】
それに対応して、無線ローカルエリアネットワーク内の受信端（８０２．１１ａｘなど）では、
【０１９８】
２００１．ＨＥ−ＳＩＧ−Ａフィールド内にある第１のＯＦＤＭシンボルおよび第２のＯＦＤＭシンボル上でチャネル等化を実行して、周波数領域シーケンス１および周波数領域シーケンス２を取得し、周波数領域シーケンス１および周波数領域シーケンス２をキャッシュする。
【０１９９】
２００２．第１の順序に従って周波数領域シーケンス１をデマッピングして、周波数領域シーケンス３を取得し、すなわち、
【０２００】
【数７】
0006457634.tif 000008
【０２０１】
に従って、デマッピング動作を実行して、周波数領域シーケンス３を取得する。
【０２０２】
２００３．第２の順序に従って周波数領域シーケンス２をデマッピングして、周波数領域シーケンス４を取得し、すなわち、
【０２０３】
【数８】
0006457634.tif 000009
【０２０４】
に従って、デマッピング動作を実行して、周波数領域シーケンス４を取得する。上式で、ｔは、マッピング後のデータ副搬送波のインデックスであり、ｋは、変調シンボルのインデックスである。
【０２０５】
２００４．周波数領域シーケンス３および周波数領域シーケンス４上でＢＰＳＫ復調を実行し、ソフトビット結合を実行し、既存の規格に従って復号を実行する。
【０２０６】
別の特有の実装様態では、８０２．１１ａｘ伝送端が、プリアンブルを生成する。図１２に示されるように、プリアンブルは、１１ｎ／ａｃ規格に準拠するＬ−ＳＴＦおよびＬ−ＬＴＦと、Ｌ−ＳＩＧフィールドと、８０２．１１ａｘのＨＥＷ−ＳＩＧ１フィールドとを含む。Ｌ−ＳＩＧフィールド内の第１のＯＦＤＭシンボルは、１１ｎ／ａｃ規格に準拠し、３１２．５ｋＨｚの副搬送波間隔および０．８μｓのＧＩを使用する。第１のＯＦＤＭシンボル内で搬送される情報ビットは、チャネルエンコーダおよび第１のインタリーバを使用することによって処理され、次いでＢＰＳＫを使用することによって変調される。Ｌ−ＳＩＧフィールド内の第２のＯＦＤＭシンボルは、３１２．５ｋＨｚの副搬送波間隔および０．８μｓのＧＩを使用する。第２のＯＦＤＭシンボル内で搬送される情報ビットは、Ｌ−ＳＩＧフィールド内の第１のＯＦＤＭシンボル内で搬送される入力情報ビットと同じであり、チャネルエンコーダおよび第２のインタリーバを使用することによって処理され（またはインタリーブは実行されないことがある）、次いでＢＰＳＫを使用することによって変調される。
【０２０７】
Ｌ−ＳＩＧフィールド内の第２のＯＦＤＭシンボルに続くシンボル（プリアンブルの残りのフィールドおよびデータフィールドを含む）が、３１２．５ｋＨｚまたは別の値の副搬送波間隔および０．８μｓまたは別の値のＧＩを使用することによって送信されることがある。
【０２０８】
それに対応して、受信端では、
【０２０９】
００１ｂ．Ｌ−ＳＩＧフィールド内にある第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスをキャッシュする。
【０２１０】
００２ｂ．第１のデインタリーバを使用することによって、第１の周波数領域シーケンス上でデインタリーブを実行して、第３の周波数領域シーケンスを取得し、第２のデインタリーバを使用することによって、第２の周波数領域シーケンス上でデインタリーブを実行して（または実行しない）、第４の周波数領域シーケンスを取得し、次いで第３の周波数領域シーケンスに対応する副搬送波内で搬送される情報が、第４の周波数領域シーケンスに対応する副搬送波内で搬送される情報と同じであるかどうかを決定する。情報が同じである場合、データパケットは、８０２．１１ａｘデータパケットであると見なされる。ステップ００３ｂへ進む。情報が同じでない場合、データパケットは、８０２．１１ａｘデータパケットではない。ステップ００１ｂへ戻り、第１の周波数領域シーケンスおよび第２の周波数領域シーケンスがキャッシュされる。データパケットのモードは、従来技術における自動検出方法を使用することによって識別される。
【０２１１】
００３ｂ．第３の周波数領域シーケンスおよび第４の周波数領域シーケンスに対応する副搬送波内で搬送される情報上でソフトビット結合を実行し、次いで８０２．１１ａｘ規格に従って復号を実行する。
【０２１２】
伝送端に対応する副搬送波間隔およびＧＩに従って、次のＯＦＤＭシンボル（プリアンブルの残りの部分およびデータ部分を含む）が受信される。
【０２１３】
１１ｎ受信端の場合、プリアンブルのＬ−ＳＩＧフィールド内の第２のＯＦＤＭシンボルは、ＢＰＳＫを使用することによって変調されるため、１１ｎ受信端は、１１ａデータパケットを処理する方式で、１１ａｘデータパケットを処理し、それによって後方互換性に影響を及ぼさない。
【０２１４】
１１ａｃ受信端の場合、プリアンブルのＬ−ＳＩＧフィールド内の第２のＯＦＤＭシンボルは、ＢＰＳＫを使用することによって変調されるため、１１ａｃ受信端は、１１ａデータパケットを処理する方式または１１ａｃデータパケットを処理する方式で、１１ａｘデータパケットを処理する。１１ａｘデータパケットが、１１ａデータパケットを処理する方式で処理される場合、完全なデフレーミング後にＣＲＣ検証が失敗し、後方互換性は影響されない。１１ａｘデータパケットが、１１ａｃデータパケットを処理する方式で処理される場合、ＶＨＴ−ＳＩＧＡが復調された後にＣＲＣ検証が失敗し、１１ａｃ受信器は、Ｌ−ＳＩＧ内に示されるフレーム長に従ってバックオフを実行し、それによって後方互換性に影響を及ぼさない。
【０２１５】
別の特有の実装様態では、８０２．１１ａｘ伝送端が、プリアンブルを生成する。図１３を参照すると、プリアンブルは、１１ｎ／ａｃ規格に準拠するＬ−ＳＴＦおよびＬ−ＬＴＦと、８０２．１１ａｘのＬ−ＳＩＧフィールドおよびＨＥＷ−ＳＩＧ１フィールドとを含む。Ｌ−ＳＩＧフィールドは、２つのＯＦＤＭシンボルを含む。Ｌ−ＳＩＧフィールド内の第１のＯＦＤＭシンボルは、３１２．５ｋＨｚの副搬送波間隔および０．８μｓのＧＩを使用し、第１のＯＦＤＭシンボル内で搬送される入力情報ビットは、チャネルエンコーダおよびインタリーバを使用することによって処理され、次いでＢＰＳＫを使用することによって変調される。次いで、変調シンボルが、すべての副搬送波に順次マッピングされる。Ｌ−ＳＩＧフィールド内の第２のＯＦＤＭシンボルは、３１２．５ｋＨｚの副搬送波間隔および０．８μｓのＧＩを使用する。第２のＯＦＤＭシンボル内で搬送される入力情報ビットは、Ｌ−ＳＩＧフィールド内の第１のＯＦＤＭシンボル内で搬送される入力情報ビットと同じであり、チャネルエンコーダおよびインタリーバを使用することによって処理され、次いでＢＰＳＫを使用することによって変調される。次いで、変調シンボルが、すべての副搬送波に逆の順序でマッピングされる。
【０２１６】
Ｌ−ＳＩＧフィールド内の第２のＯＦＤＭシンボルが送信された後、次のＯＦＤＭシンボル（プリアンブルの残りのフィールドおよびデータフィールドを含む）が、３１２．５ｋＨｚまたは別の値の副搬送波間隔および０．８μｓまたは別の値のＧＩを使用することによって送信されることがある。
【０２１７】
受信端では、
【０２１８】
００１ｃ．受信されたＬ−ＳＩＧフィールド内にある第１のＯＦＤＭシンボルおよび第２のＯＦＤＭシンボル上でチャネル等化を実行して、それぞれ第１の周波数領域シーケンスおよび第２の周波数領域シーケンスを取得し、第１の周波数領域シーケンスおよび第２の周波数領域シーケンスをキャッシュする。
【０２１９】
００２ｃ．第１の順序に従って第１の周波数領域シーケンスをデマッピングして、第３の周波数領域シーケンスを取得し、第２の順序に従って第２の周波数領域シーケンスをデマッピングして、第４の周波数領域シーケンスを取得し、次いで第３の周波数領域シーケンスに対応する副搬送波内で搬送される情報が、第４の周波数領域シーケンスに対応する副搬送波内で搬送される情報と同じであるかどうかを決定する。情報が同じである場合、データパケットは、８０２．１１ａｘデータパケットであると見なされる。ステップ００３ｃへ進む。情報が同じでない場合、データパケットは、８０２．１１ａｘデータパケットではない。ステップ００１ｃへ戻り、第１の周波数領域シーケンスおよび第２の周波数領域シーケンスがキャッシュされる。データパケットのモードは、従来技術における自動検出方法を使用することによって識別される。
【０２２０】
００３ｃ．第３の周波数領域シーケンスおよび第４の周波数領域シーケンスに対応する副搬送波内で搬送される情報上でソフトビット結合を実行し、次いで８０２．１１ａｘ規格に従って復号を実行する。
【０２２１】
伝送端に対応する副搬送波間隔およびＧＩに従って、次のＯＦＤＭシンボル（プリアンブルの残りの部分およびデータ部分を含む）が受信される。
【０２２２】
８０２．１１ｎ受信端の場合、プリアンブルのＬ−ＳＩＧフィールド内の第２のＯＦＤＭシンボルは、ＢＰＳＫを使用することによって変調されるため、８０２．１１ｎ受信端は、１１ａデータパケットを処理する方式で、１１ａｘデータパケットを処理し、後方互換性は影響されない。
【０２２３】
８０２．１１ａｃ受信端の場合、プリアンブルのＬ−ＳＩＧフィールド内の第２のＯＦＤＭシンボルは、ＢＰＳＫを使用することによって変調されるため、８０２．１１ａｃ受信端は、８０２．１１ａデータパケットを処理する方式または８０２．１１ａｃデータパケットを処理する方式で、８０２．１１ａｘデータパケットを処理する。８０２．１１ａｘデータパケットが、８０２．１１ａデータパケットを処理する方式で処理される場合、完全なデフレーミング後にＣＲＣ検証が失敗し、後方互換性に影響を及ぼさない。８０２．１１ａｘデータパケットが、８０２．１１ａｃデータパケットを処理する方式で処理される場合、ＶＨＴ−ＳＩＧＡが復調された後にＣＲＣ検証が失敗し、８０２．１１ａｃ受信器は、Ｌ−ＳＩＧ内に示されるフレーム長に従ってバックオフを実行し、それによって後方互換性に影響を及ぼさない。
【０２２４】
別の好ましい実装様態では、８０２．１１ａｘ伝送端は、プリアンブルを生成および送信する。図１４を参照すると、プリアンブルのＬ−ＳＩＧフィールドは、２つのＯＦＤＭシンボルを含み、プリアンブルのＨＥ−ＳＩＧ１は、少なくとも１つのＯＦＤＭシンボルを含む。
【０２２５】
Ｌ−ＳＩＧフィールド内にある第１のＯＦＤＭシンボルおよび第２のＯＦＤＭシンボルの入力情報ビットは同じである。第１のＯＦＤＭシンボルおよび第２のＯＦＤＭシンボルの生成方式は、上記の実施形態を参照されたい。
【０２２６】
Ｌ−ＳＩＧフィールド内の第２のＯＦＤＭシンボルを送信した後、伝送端は、ＨＥ−ＳＩＧ１フィールドの第１のＯＦＤＭシンボルを送信する。このシンボルは、Δｆ＝３１２．５ｋＨｚの副搬送波間隔およびＴGI＝１．６μｓのガードインターバルを使用し、第１のＯＦＤＭシンボル内で搬送される情報ビットは、チャネルエンコーダおよびインタリーバを使用することによって処理され、次いでＢＰＳＫを使用することによって変調される。
【０２２７】
特に、ＨＥ−ＳＩＧ１フィールド内の第１のＯＦＤＭシンボルの伝送波形式は、次の通りである。
【０２２８】
【数９】
0006457634.tif 000010
【０２２９】
上式で、ＮSTは、利用可能なデータの数にパイロット副搬送波の数を加えた値であり、Ｃkは、各副搬送波内で搬送される変調シンボルであり、Δｆ＝３１２．５ｋＨｚは、副搬送波間隔であり、Ｔpost-fix＝０．８μｓは、０．８μｓの巡回プレフィックスを生成し、ｗT（ｔ）は、それだけに限定されるものではないが、既存の規格で推薦される窓関数であることがあり、ｗT（ｔ）の持続時間は、
【０２３０】
【数１０】
0006457634.tif 000011
【０２３１】
である。
【０２３２】
巡回プレフィックスＴpost-fixおよびガードインターバルＴGIは、巡回プレフィックスＴpost-fixがガードインターバルＴGI以下である限り、他の値をとることがある。副搬送波間隔は、Δｆ＝３１２．５ｋＨｚなどの別の値をとることがある。
【０２３３】
ＨＥ−ＳＩＧ１フィールド内の第１のＯＦＤＭシンボルが送信された後、次のＯＦＤＭシンボル（プリアンブルの残りのフィールドおよびデータフィールドを含む）が、３１２．５ｋＨｚまたは別の値の副搬送波間隔および０．８μｓまたは別の値のＧＩを使用することによって送信されることがある。
【０２３４】
本明細書では、「および／または」という用語は、関連する対象について説明するために、関連関係について説明するだけであり、３つの関係が存在することがあることを表す。たとえば、Ａおよび／またはＢは、Ａのみが存在するケース、ＡとＢの両方が存在するケース、およびＢのみが存在するケースという３つのケースを表すことがある。加えて、本明細書では、「／」という文字は、概して、関連する対象間の「または」の関係を示す。
【０２３５】
上記のプロセスのシーケンス番号は、本発明の様々な実施形態における実行シーケンスを意味するものではないことを理解されたい。これらのプロセスの実行シーケンスは、プロセスの機能および内部論理に従って決定されるべきであり、本発明の実施形態の実装プロセスに対する何らかの限定であると解釈されるべきでない。
【０２３６】
本明細書に開示される実施形態に記載される例と組み合わせて、電子ハードウェアまたはコンピュータソフトウェアおよび電子ハードウェアの組合せによって、ユニットおよびアルゴリズムステップが実施されることがあることを、当業者は認識することがある。機能がハードウェアによって実行されるか、それともソフトウェアによって実行されるかは、技術的な解決策の特定の適用分野および設計上の制約条件に依存する。特定の各適用分野に対して記載される機能を実施するための異なる方法を、当業者であれば使用することがあるが、その実装が本発明の範囲を超えると見なされるべきでない。
【０２３７】
好都合かつ簡単な説明の目的で、上記のシステム、装置、およびユニットの詳細な作業プロセスについて、上記の方法の実施形態における対応するプロセスを参照することがあることが当業者によって明らかに理解されることがあり、詳細は本明細書に繰返し説明されない。
【０２３８】
本出願に提供されるいくつかの実施形態では、開示されるシステム、装置、および方法が、他の方式で実施されることがあることを理解されたい。たとえば、記載される装置の実施形態は、単なる例示である。たとえば、ユニット区分は、単なる論理機能区分であり、実際の実装では他の区分であることがある。たとえば、複数のユニットまたは構成要素が、別のシステム内へ組み合わされもしくは組み込まれることがあり、またはいくつかの特徴が、無視されることがあり、もしくは実行されないことがある。加えて、表示もしくは議論される相互結合もしくは直接結合または通信接続は、いくつかのインターフェースを使用することによって実施されることがある。装置またはユニット間の間接結合または通信接続は、電子、機械、または他の形態で実施されることがある。
【０２３９】
別個の部分として記載されるユニットは、物理的に別個であることがあり、または物理的に別個でないことがあり、ユニットとして表示される部分は、物理的なユニットであることがあり、または物理的なユニットでないことがあり、１つの位置に配置されることがあり、または複数のネットワークユニット上に分散されることがある。ユニットのいくつかまたはすべては、実施形態の解決策の目的を実現するために、実際の必要に応じて選択されることがある。
【０２４０】
加えて、本発明の実施形態における機能ユニットは、１つの処理ユニット内に組み込まれることがあり、またはユニットのそれぞれが、物理的に単独で存在することがあり、または２つ以上のユニットが、１つのユニット内に組み込まれる。
【０２４１】
これらの機能が、ソフトウェア機能ユニットの形態で実施され、独立した製品として販売または使用されるとき、これらの機能は、コンピュータ可読記憶媒体内に記憶されることがある。そのような理解に基づいて、本発明の技術的な解決策は本質的に、もしくは従来技術に寄与する部分は、または技術的な解決策のいくつかは、ソフトウェア製品の形態で実施されることがある。ソフトウェア製品は、記憶媒体内に記憶され、本発明の実施形態に記載される方法のステップのすべてまたはいくつかを実行するようにコンピュータデバイス（パーソナルコンピュータ、サーバ、またはネットワークデバイスであることがある）に指示するためのいくつかの命令を含む。上記の記憶媒体は、ＵＳＢフラッシュドライブ、取外し可能なハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光学ディスクなど、プログラムコードを記憶することが可能である任意の媒体を含む。
【０２４２】
上記の説明は、本発明の単なる特有の実装様態であり、本発明の保護範囲を限定しようとするものではない。本発明に開示される技術範囲内の当業者であれば容易に想到される任意の変形または置換えは、本発明の保護範囲に入るものとする。したがって、本発明の保護範囲は、特許請求の範囲の保護に従うものとする。
【図１】
0006457634.tif 000012
【図２】
0006457634.tif 000013
【図３】
0006457634.tif 000014
【図４】
0006457634.tif 000015
【図５】
0006457634.tif 000016
【図６ａ】
0006457634.tif 000017
【図６ｂ】
0006457634.tif 000018
【図７】
0006457634.tif 000019
【図８】
0006457634.tif 000020
【図９】
0006457634.tif 000021
【図１０】
0006457634.tif 000022
【図１１】
0006457634.tif 000023
【図１２】
0006457634.tif 000024
【図１３】
0006457634.tif 000025
【図１４】
0006457634.tif 000026
【図１５】
0006457634.tif 000027
【図１６】
0006457634.tif 000028
【図１７】
0006457634.tif 000029